(57)【特許請求の範囲】
【請求項１】
視聴覚情報を無線で送信するためのシステムであって、前記システムは；
視聴覚情報を受信する入力回路と、前記入力回路に接続した送信論理回路と、前記送信論理回路に接続した送信回路とから構成され、
前記送信論理回路は、第１のストリームとこれと分離して送信可能な第２のストリームとを発生するものであって、１又はそれ以上の前記第１のストリームは、前記視聴覚情報を有し、１又はそれ以上の前記第２のストリームは前記視聴覚情報を訂正するための第１のエラー訂正符号化情報を有しており、前記第１のストリームと前記第２のストリームの１またはそれ以上のストリームは、前記第１のストリームと第２のストリームとが関連していることを示す制御情報を有しており、
前記送信論理回路は、第１のストリームと前記第２のストリームを、異なる時間に及び／又は異なる周波数で送信されるように発生し、前記送信回路は、前記第１のストリームと前記第２のストリームを異なる時間に及び／又は異なる周波数で送信するように構成され、前記制御情報は、前記第１のストリームと前記第２のストリームが異なる時間に及び／または異なる周波数で送信されたことを示し、
前記送信回路は、前記第１のストリームと前記第２のストリームを無線で送信することを特徴とするシステム。
【請求項２】
前記第１のストリームは、前記第２のストリームが無い場合でも正常受信状態で使用でき、また前記第２のストリームは、移動体受信状態でも前記視聴覚情報と関連づけて訂正処理できるように構成されたことを特徴とする請求項１に記載のシステム。
【請求項３】
前記第２のストリームは、第２のエラー訂正符号化情報を有すると共に、移動体受信状態で前記視聴覚情報と関連づけて訂正処理できるように構成されたことを特徴とする請求項１に記載のシステム。
【請求項４】
前記第２のエラー訂正符号化情報は、前記第１のエラー訂正符号化情報とは異なるタイプのエラー訂正符号化情報であることを特徴とする請求項３に記載のシステム。
【請求項５】
前記第２のエラー訂正符号化情報は、第１のエラー訂正符号化情報と同じタイプのエラー訂正符号化情報であり、前記第２のエラー訂正符号化情報は、前記第１のエラー訂正符号化情報と補完関係にあることを特徴とする請求項３に記載のシステム。
【請求項６】
視聴覚情報を無線で送信する方法であって、前記方法は；
第１の複数のパケットを発生するステップと、
第２の複数のパケットを発生するステップと、
制御情報を発生するステップと、
前記第１の複数のパケット、前記第２の複数のパケット及び制御情報とを無線で送信するステップと、
から構成され、
前記第１の複数のパケットは前記視聴覚情報を有し、前記第２の複数のパケットは前記視聴覚情報を訂正するための第１のエラー訂正符号化情報を有し、前記制御情報は、前記第１のエラー訂正符号化情報が前記視聴覚情報と関連していることを示しており、
前記第１の複数のパケット及び前記第２の複数のパケットは１）異なる時間に及び／又は２）異なる周波数で送信され、前記制御情報は、前記第１の複数のパケットと第２の複数のパケットが１）異なる時間に及び／又は２）異なる周波数で送信されることを指示することを特徴とする方法。
【請求項７】
視聴覚情報を無線伝送するためのプログラム指示を記憶した記憶媒体であって、前記プログラム指示は、第１のストリームとこれとは分離して送信可能で前記視聴覚情報に基づく前記第１のストリームと関連づけられた第２のストリームの発生を指示するものであり、１又はそれ以上の前記第１のストリームは、前記視聴覚情報を有し、１又はそれ以上の前記第２のストリームは前記視聴覚情報を訂正するための第１のエラー訂正符号化情報を有しており、前記第１のストリームと第２ストリームの１又はそれ以上のストリームは前記第１のストリームと第２のストリームが関連していることを示す制御情報を有しており、
前記第１のストリームと前記第２のストリームを、異なる時間に及び／又は異なる周波数で送信されるように発生し、前記第１のストリームと前記第２のストリームを異なる時間に及び／又は異なる周波数で送信するように構成され、前記制御情報は、前記第１のストリームと前記第２のストリームが異なる時間に及び／または異なる周波数で送信されたことを示し、
更に前記第１のストリームと前記第２のストリームは無線伝送されるように構成してあることを特徴とする記憶媒体。
【請求項８】
視聴覚情報を無線で受信する無線装置であって、上記無線装置は；
第１のストリームとこれと分離した第２のストリームを無線方式で受信する受信機と、上記受信機に接続した受信論理回路とを具備し、１又はそれ以上の前記第１のストリームは前記視聴覚情報を有し、１又はそれ以上の前記第２のストリームは前記視聴覚情報を訂正するための第１のエラー訂正符号化情報を有すると共に、前記第１のストリームと前記第２のストリームの１又はそれ以上のストリームはこの第１のストリームと第２のストリームが関連していることを提示する制御情報を有し、
前記受信機は、前記第１のストリームと第２のストリームを異なる時間に且つ／又は異なる周波数で受信し、前記制御情報は、前記第１のストリームと前記第２のストリームが異なる時間に且つ／又は異なる周波数で伝送されたことを示し、
前記受信論理回路は、前記制御情報に基づいて前記第１のストリームと前記第２のストリームとを関連させ、且つ前記第１のエラー訂正符号化情報を使用して前記視聴覚情報を訂正処理し、この処理後に前記視聴覚情報を表示するように構成されたことを特徴とする無線装置。
【請求項９】
前記第１のストリームは、前記第２のストリームを使用することなく正常受信状態で使用することが出来、前記第２のストリームは、前記視聴覚情報と関連して移動受信状態で使用できるようにしたことを特徴とする請求項８に記載の無線装置。
【請求項１０】
前記第２のストリームは第２のエラー訂正符号化情報を具備し、前記第２のストリームは前記視聴覚情報と関連して移動受信状態で使用できるように構成し、また前記受信論理回路は更に、前記第２のエラー訂正符号化情報を使用して前記視聴覚情報を処理できるようにしたことを特徴とする請求項８に記載の無線装置。
【請求項１１】
前記第２のエラー訂正符号化情報は、前記第１のエラー訂正符号化情報の形式とは異なるエラー訂正符号化情報である請求項１０に記載の無線装置。
【請求項１２】
前記第２のエラー訂正符号化情報は、前記第１のエラー訂正符号化情報と同じ形式であり、前記第２のエラー訂正符号化情報は前記第１のエラー訂正符号化情報と補完関係にあることを特徴とする請求項１０に記載の無線装置。
【請求項１３】
視聴覚情報を無線によって受信する方法であって、前記方法は；
前記視聴覚情報を有する複数の第１のパケットを無線で受信するステップと、
前記視聴覚情報を訂正するための第１のエラー訂正符号化情報を有する複数の第２のパケットを無線で受信するステップと、
前記第１エラー訂正符号化情報が前記視聴覚情報と関連していることを示す制御信号を無線で受信するステップと、
を有し、前記複数の第１のパケットと前記複数の第２のパケットは、１）時間的に分離及び／又は２）周波数が分離して受信され、前記制御情報は前記複数の第１のパケットと前記複数の第２のパケットが１）時間的に分離及び／又は２）周波数が分離して送信されたことを示すものであり；
前期制御信号に基づいて、前記第１のエラー訂正符号化情報と前記視聴覚情報とを関連づけるステップと、
関連する前記第１のエラー訂正符号化情報を使用して前記視聴覚情報を訂正処理した後、前記視聴覚情報を表示するステップとを有することを特徴とする視聴覚情報を無線によって受信する方法。
【請求項１４】
無線装置が視聴覚情報を受信及び処理するためのプログラム指示を記憶する記録媒体であって、前記プログラム指示は；
第１のストリームと、この第１のストリームと関連する第２のストリームとを受信すること、
前記第１のストリームと前記第２のストリームが関連していることを指示する制御情報に基づいて、
更に第１のエラー訂正符号化情報を利用して前記視聴覚情報を訂正処理することを実行させるプログラム指示であり、
１又はそれ以上の前記第１のストリームは、前記視聴覚情報を有し、１又はそれ以上の前記第２のストリームは前記視聴覚情報を訂正するための第１のエラー訂正符号化情報を有しており、前記第１のストリームと前記第２のストリームの１又はそれ以上のストリームは前記第１ストリームと前記第２ストリームが関連していることを示す制御情報を有し、
前記第１のストリームと第２のストリームを異なる時間に且つ／又は異なる周波数で受信し、前記制御情報は、前記第１のストリームと前記第２のストリームが異なる時間に且つ／又は異なる周波数で伝送されたことを示し、
前記制御情報に基づいて、前記第１のストリームと前記第２のストリームを関連付けて、更に前記第１のエラー訂正符号化情報を使用して前記視聴覚情報を訂正処理した後に、前記視聴覚情報を表示する記録媒体。
【発明の詳細な説明】
【技術分野】
【０００１】
本発明は移動体テレビジョン放送システムに関し、より詳細には、１つの実施形態では、移動体装置及びハンドヘルド装置に対する移動体サービスのための現行のＡＴＳＣデジタルＴＶ放送システムの強化に関する。
【背景技術】
【０００２】
ＡＴＳＣ（Ａｄｖａｎｃｅｄ  Ｔｅｌｅｖiｓiｏｎ  Ｓｙｓｔｅｍｓ  Ｃｏｍｍiｔｅｅ）規格は、アナログＮＴＳＣテレビジョン・システムに取って代わるデジタル・テレビジョン方式に関する規格である。ＡＴＳＣ規格は、以前のＮＴＳＣ規格の表示解像度の６倍を超える最大１９２０×１０８０画素のサイズの標準的な４：３の画像又はワイドスクリーンの１６：９の画像を生成する高繊細度テレビの規格である。ＡＴＳＣ規格は、単一の６ＭＨｚＴＶチャンネル上で複数の標準画質の「仮想チャンネル」放送を転送することに備えている。ＡＴＳＣ規格はまた、ドルビー・デジタルＡＣ−３方式を使用して５．１チャンネル・サラウンド・サウンドを提供する「シアター品質」音響も含む。ＡＴＳＣ規格はまた、数多くの補助的なデータ放送サービスも提供する。
【０００３】
ＡＴＳＣ規格は、データのカプセル化（転送）にＭＰＥＧ−２システム仕様を使用する。より詳細には、ＡＴＳＣは、データを搬送するために１８８バイトのＭＰＥＧトランスポート・ストリーム・パケットを使用する。ＭＰＥＧ−２は、「トランスポート・ストリーム」、「ＭＰＥＧ−ＴＳ」、又は単に「ＴＳ」とも呼ばれる。受信機側において、音声及びビデオを復号する前に、受信機が信号を復調してエラー訂正を適用する。その後、トランスポート・ストリームをその成分ストリームに逆多重化することができる。ビデオの符号化及び復号には、ＭＰＥＧ−２、Ｈ．２６４、ＶＣ−１などのビデオ・コーデックが特定の制約に従って使用される。
【発明の概要】
【発明が解決しようとする課題】
【０００４】
以前は、ＡＴＳＣ規格を使用して送信されたデジタルテレビ局の移動体受信は困難ないし不可能であった。例えば、自動車の速度で移動しているときにデジタルテレビ局を移動体受信することは非常に困難である。従って、移動体受信を向上させるためのデジタル・テレビジョン信号を送信及び／受信するためのシステム及び方法を改善することが必要とされている。
【課題を解決するための手段】
【０００５】
視聴覚情報を無線で送信するためのシステム及び方法の様々な実施形態を示す。１つの実施形態の組は、視聴覚情報を移動体装置へ無線で送信するためのシステム及び方法に関する。別の実施形態の組は、視聴覚情報を移動体装置により無線で受信するためのシステム及び方法に関する。この視聴覚情報は、８−ＶＳＢ変調などを使用して、ＡＴＳＣ（Ａｄｖａｎｃｅｄ  Ｔｅｌｅｖiｓiｏｎ  Ｓｙｓｔｅｍｓ  Ｃｏｍｍiｔｅｅ）規格に従っ
てパケット化することができる。
【０００６】
視聴覚情報を移動体装置へ送信するための方法は、第１の視聴覚情報を含む第１の複数のパケットを生成するステップを含むことができる。この第１の複数のパケットは、第１の種類のエラー訂正符号化情報を含むことができ、或いは第１の複数のパケット内に複数の種類のエラー訂正符号化情報が存在することができる。第１の視聴覚情報のための第１のエラー訂正符号化情報を含む第２の複数のパケットを生成することもできる。第１のエラー訂正符号化情報は第１のエラー訂正符号化方法を使用して形成することができ、第１の複数のパケット内のエラー訂正符号化情報は第２のエラー訂正符号化方法を使用して形成することができる。第１のエラー訂正符号化方法と第２のエラー訂正符号化方法は同じものであってもよく、又は異なるエラー符号化方法であってもよい。
【０００７】
第１のエラー訂正符号化情報は、第１のパターンのエラー訂正符号化情報及び第２のパターンのエラー訂正符号化情報を含むことができる。第１のパターンのエラー訂正符号化情報と第２のパターンのエラー訂正符号化情報は互いに補完的なものであってもよく、或いは重複するもの又は同一のものであってもよい。第１のパターンのエラー訂正符号化情報と第２のパターンのエラー訂正符号化情報は時間及び／又は周波数で分離することができ、換言すれば、これらを異なる時間に及び／又は異なる周波数で送信されるように構成することができる。
【０００８】
第１のエラー訂正符号化情報を第１の視聴覚情報の少なくとも一部に関連付けるための命令を含む制御情報を生成することもできる。従って、第１のエラー訂正符号化情報と第１の視聴覚情報を（異なるパケットの組などの）異なるストリームに含め、いくつかの実施形態では時間的に別個に及び／又は異なる周波数で送信することができるが、移動体装置が制御情報を使用して（例えば、移動体装置に通知して）第１のエラー訂正符号化情報と第１の視聴覚情報を互いに関連付け、これにより移動体装置が、第１の視聴覚情報を処理する際に第１のエラー訂正符号化情報を使用できるようにすることができる。制御情報が生成されると、この制御情報を第１のエラー訂正符号化情報とともに第２の複数のパケットに含めることができ、或いは第３の複数のパケットに含めることができる。
【０００９】
これらの第１、第２、及び（場合によっては）第３の複数のパケットを含む複数のパケットを、移動体装置などへ無線で送信することができる。例えばアンテナを含む送信機により、複数のパケットを送信することができる。
【００１０】
いくつかの実施形態では、追加のパケットを生成することができる。例えば、１つの実施形態では、第２の視聴覚情報を含む第４の複数のパケットを生成することができる。第２の視聴覚情報は、第１の視聴覚情報を完全に補完するものであってもよく、又は部分的に重複するものであってもよく（すなわち、第１及び第２の視聴覚情報の少なくとも一部が同じ視聴覚情報であってもよく）、或いは第１の視聴覚情報と第２の視聴覚情報が同一のもの又は冗長的なものであってもよい。第４の複数のパケットは、第１の複数のパケットと同様のエラー訂正符号化情報を含むこともできる。いくつかの実施形態では、第１及び第２の視聴覚情報が部分的に又は完全に冗長的である場合でも、各々のエラー訂正符号化情報を部分的に又は完全に補完的なものとすることができる。或いは、エラー訂正符号化情報を含む第１及び第４の複数のパケットが、エラー訂正符号化情報を含めて同一のものであってもよく、例えば、一方のパケットの組を、他方のパケットの組とは異なる時間に又は異なる周波数で送信されるバックアップ情報とすることができる。またさらに、第１及び第４の複数のパケット（第１及び第２の視聴覚ストリーム）が同一であるか否かに関わらず、これらが別の時間に及び／又は別の周波数で送信されるように構成することもできる。いくつかの実施形態では、第１及び第４の複数のパケットのいずれもが（又はこれらの一方のみが）エラー訂正符号化情報を含まず、例えば、第１及び第２の視聴覚情報のためのあらゆるエラー訂正符号化情報を別のストリームに（例えば、別のパケットの組に）含めて別個に送信することができる。制御情報に含まれる命令が、第１及び第２の視聴覚情報を関連付けることもできる。この関連付けはまた、第１及び第２の視聴覚情報のためのエラー訂正符号化情報が、対象とする視聴覚情報と同じ複数のパケット内に存在するか、或いは異なる複数のパケット内に存在するかに関わらず、これらのあらゆるエラー訂正符号化情報を関連付けるステップを含むこともできる。
【００１１】
第５の複数のパケットを生成することもできる。第５の複数のパケットは、例えば第２の視聴覚情報のための第２のエラー訂正符号化情報を含むことができる。第２のエラー訂正符号化情報は、第１のエラー訂正符号化情報を（部分的に又は完全に）補完するパターンのエラー訂正符号化情報とすることができる。例えば、第１及び第２の視聴覚情報を関連付けることができ、この第１及び第２の視聴覚情報のそれぞれのエラー訂正符号化情報が補完的なものである場合、この補完的パターンの第１及び第２のエラー訂正符号化情報がともに、より強力な形のエラー保護を形成するようになる。従って、制御情報に含まれる命令が、第２のエラー訂正符号化情報を第２の視聴覚情報に関連付けることができ、いくつかの実施形態では、第１の視聴覚情報及び第１のエラー訂正符号化情報を第２の視聴覚情報及び第２のエラー訂正符号化情報に関連付けることができる。或いは、制御情報に含まれる命令が、第１の視聴覚情報を第１エラー訂正情報に、第２の視聴覚情報を第２エラー訂正情報に、そして第１の視聴覚情報を第２の視聴覚情報に単純に関連付けることができ、この制御情報内の明示的な関連性により、前記制御情報を受信する移動体装置が、第２のエラー訂正符号化情報を第１の視聴覚情報に、及び第１のエラー訂正符号化情報を第２の視聴覚情報に暗黙的に関連付けることができる。
【００１２】
視聴覚情報を移動体装置へ無線で送信する方法は、視聴覚情報を記憶するためのメモリ、このメモリに結合され、パケット及び制御情報を生成するように構成された送信論理回路、及び複数のパケットを送信するための送信機、のうちの一部又は全てを様々な実施形態において含むことができるシステムにより部分的に又は完全に実施することができる。
【００１３】
視聴覚情報を移動体装置により無線で受信する方法は、複数のパケットを無線で受信するステップを含むことができる。パケットは、第１及び第２の複数のパケット（及びいくつかの実施形態では、第３、第４及び第５の複数のパケット）を含むことができ、これらは、上述の様々な実施形態のいずかによる、視聴覚情報を移動体装置へ無線で送信する方法に関して上述したような第１及び第２の複数のパケット（及びいくつかの実施形態では、第３、第４及び第５の複数のパケット）に相当するものであってもよい。
【００１４】
（第２の複数のパケット内の）第１のエラー訂正符号化情報を、（第１の複数のパケット内の）第１の視聴覚情報の少なくとも一部に制御情報に基づいて関連付けることができる。第４及び第５の複数のパケットが存在する場合、第２のエラー訂正符号化情報を第２の視聴覚情報に制御情報に基づいて関連付けることができる。同様に、第１の視聴覚情報と第２の視聴覚情報、第１の視聴覚情報と第２のエラー訂正符号化情報、又は第２の視聴覚情報と第１のエラー訂正符号化情報の１又はそれ以上を、制御情報に含まれる命令に明示的に基づいて、或いは他のクロス・ストリーム・アソシエーションに暗黙的に基づいて関連付けることができる。
【００１５】
視聴覚情報を処理して、移動体装置上に提示されるようにすることができる。視聴覚情報を処理するステップは、（様々な実施形態により、第１、第２、及び／又は第５の複数のパケットに含めることができるような）第１の視聴覚情報及びあらゆる関連するエラー訂正符号化情報を処理するステップと、いくつかの実施形態では、（様々な実施形態により、第２、第４、及び／又は第５の複数のパケットに含めることができるような）第２の視聴覚情報及びあらゆる関連するエラー訂正符号化情報を処理するステップとを含むことができる。いくつかの実施形態では、（第１及び第４の複数のパケットなどの）第１及び第２の視聴覚ストリームを同時に、及び両ストリームの関連するエラー訂正符号化情報の全てとともに処理することができる。
【００１６】
視聴覚情報を関連するエラー訂正符号化情報とともに処理することにより、送信チャンネル内に背景ノイズが存在する場合、或いは移動体装置が高速で及び／又は予測不能に移動している間のような劣悪な受信状態下でも視聴覚情報を提示できるようになる。また、視聴覚情報及び／又は関連するエラー訂正符号化情報を異なる時間に及び／又は異なる周波数で別個に受信した場合、たとえエラー訂正符号化情報の一部が失われ、或いは一部の部分的に重複する視聴覚情報が失われた場合でも、他の時間に及び／又は他の周波数で十分な視聴覚情報及び／又はエラー訂正符号化情報を受信して、移動体装置におけるサービスを途切れないようにすることができるので、上記処理により、バースト・ノイズ及び強度のチャンネル・フェーディングなどの特定の受信問題に対する移動体装置の脆弱性を低減することができる。
【００１７】
視聴覚情報を提示用に処理したら、この処理した視聴覚情報を移動体装置上に提示することができる。この処理は、ビデオ情報をディスプレイ上に提示（例えば表示）するステップ、及び／又は音声情報を１又はそれ以上のスピーカ上に提示（例えば再生）するステップを含むことができる。
【００１８】
視聴覚情報を移動体装置により無線で受信する方法を、移動体装置により実施することができる。移動体装置は、パケットを無線で受信するためのアンテナと、視聴覚情報とエラー訂正符号化情報を関連付け、視聴覚情報とエラー訂正符号化情報を処理し、処理した視聴覚情報を提示するための、アンテナに結合された受信機論理回路と、実際に視聴覚情報を提示できるディスプレイ及び１又はそれ以上のスピーカとを含むことができる。
【００１９】
以下の好ましい実施形態の詳細な説明を以下の図面と併せて検討すれば、本発明をより完全に理解することができる。
【図面の簡単な説明】
【００２０】
【図１】１つの実施形態によるデジタル・テレビジョン放送システムを示す図である。
【図２】１つの実施形態による、視聴覚情報を移動体装置へ無線で送信する方法を示すフロー図である。
【図３】１つの実施形態による、視聴覚情報を移動体装置へ無線で送信する方法を示すフロー図である。
【図４】移動体装置が視聴覚情報を無線で受信して提示する方法を示すフロー図である。
【図５】移動体装置が視聴覚情報を無線で受信して提示する方法を示すフロー図である。
【図６】１つの実施形態による、４状態系統的畳み込み符号器を示す図である。
【図７】１つの実施形態による、Ｒ＝１／２及びＲ＝１／４の符号化率を生じる２つの基本的なパンクチャリングパターンを示す図である。
【図８】１つの実施形態による、Ｒ＝１／３、Ｒ＝２／３、及びＲ＝４／５の符号化率を生じるいくつかの追加のパンクチャリングパターンを示す図である。
【図９】１つの実施形態による、様々な符号化率の増分符号化利得及び帯域幅オーバーヘッドを示すグラフである。
【図１０】１つの実施形態によるブロックプロセッサを示すブロック図である。
【図１１】１つの実施形態による、個々のＳＣＣＣブロックモード／フレームモードに関するＳＣＣＣ外部コードモードに基づくペイロード長をリストする表である。
【図１２】１つの実施形態による、様々な符号化率のＳＣＣＣ出力／入力ブロック長をリストする表である。
【図１３】１つの実施形態による、従来技術の解決法と比較したメインストリーム増強を示す図である。
【図１４】１つの実施形態による、メインストリーム増強によるＲ＝１／２及びＲ＝１／４符号化スキームを示す図である。
【図１５】１つの実施形態による増強したサービス多重化を示す図である。
【図１６Ａ】１つの実施形態による増強したストリームの編成を示す図である。
【図１６Ｂ】１つの実施形態による増強したストリームの編成を示す図である。
【図１７Ａ】１つの実施形態によるＦＩＣチャンネルのための構文を示す図である。
【図１７Ｂ】１つの実施形態によるＦＩＣチャンネルのための構文を示す図である。
【図１８】１つの実施形態によるＴＰＣチャンネルのための構文を示す図である。
【図１９】１つの実施形態による送信ダイバーシティ方法を示す図である。
【図２０】１つの実施形態による、時間ダイバースコンテンツ及び非時間ダイバースコンテンツの両方を含むコンテンツストリームを示す図である。
【図２１】１つの実施形態による、周波数ダイバースコンテンツ及び非周波数ダイバースコンテンツの両方を含む、異なる周波数における２つのコンテンツストリームを示す図である。
【図２２】１つの実施形態による、入れ子型ストリーム符号化に適した補完的符号化パターンを示す図である。
【図２３】１つの実施形態による、畳み込み符号器の同等のＲ＝１／２正規化形式を示す図である。
【図２４】１つの実施形態による、ＴＰＣ構文内のＳＣＣＣ＿Ｂｌｏｃｋ＿Ｍｏｄｅ＿Ｅｘｔｅｎｓiｏｎ項を定義する表である。
【図２５】１つの実施形態による、畳み込み符号器が、いかにして図２４で定義したＴＰＣチャンネル内の構文に従って出力を定義することができるかを示す表である。
【図２６】１つの実施形態によるスタガーキャスト符号化パターンを示す図である。
【発明を実施するための形態】
【００２１】
本発明は、様々な修正及び代替の形態が可能であるが、図面には本発明の特定の実施形態を一例として示し、本明細書ではこれらについて詳細に説明する。しかしながら、図面及びこれらの詳細な説明は、開示する特定の形態に本発明を限定することを意図するものではなく、むしろ添付の特許請求の範囲により定められる本発明の思想及び範囲内にある全ての修正、同等物及び代替手段を含むことを意図するものであると理解されたい。
【００２２】
図１−デジタル・テレビジョン放送システム
図１は、本発明の１つの実施形態による例示的な放送システム１００を示している。１つの実施形態では、この放送システムをデジタル・テレビジョン放送システムとすることができる。本明細書で説明する放送システム１００を、本明細書で説明する様々な方法を含めて使用して、視聴覚情報及びその他のデータを含む様々な種類のデータのいずれかを放送することができる。
【００２３】
本明細書で使用する「視聴覚情報」という用語は、ビデオデータ及び／又は音声データを含む様々な種類の情報又はデータのいずれかを含む。「ビデオデータ」という用語は、（テレビ、映画、ストリーミングビデオ、その他、及びＪＰＥＧなどの画像データのような）動画ビデオを含む。「視聴覚情報」という用語は、実行時に装置に（ディスプレイ上に）ビデオデータを、及び／又は（スピーカ上に）音声データを提示させる様々な種類の情報又はプログラム命令のいずれかをさらに含む。例えば、「視聴覚情報」という用語は、提示装置上に（画像、ビデオ、及び／又は音声などの）ゲームコンテンツを提示するために利用及び／又は実行できる（プログラム命令及び／又はデータを含む）様々な種類のゲームコンテンツのいずれかを含む。
【００２４】
本出願では、本明細書で説明する放送システム１００及び様々な方法について、視聴覚情報を送信して特定のデジタル・テレビジョンにおいて受信機装置により提示するという状況で説明する。しかしながら、本明細書で説明する放送システム１００及び様々な方法を使用して、（視聴覚情報、電子メール、ファイル、テキスト文書、地震データ、測定データ、気象データなどの）様々な種類のデータのいずれかを送信／受信することもでき、視聴覚情報は１つの代表例にすぎない。
【００２５】
１つの実施形態の組では、放送システムが、８−ＶＳＢ変調などを使用してＡＴＳＣ（Ａｄｖａｎｃｅｄ  Ｔｅｌｅｖiｓiｏｎ  Ｓｙｓｔｅｍｓ  Ｃｏｍｍiｔｅｅ）規格に基
づいて動作することができる。或いは、この放送システムは、ＡＴＳＣ規格の修正版に基づいて、或いは別の規格に基づいて動作することができる。例えば、移動中の受信機に視聴覚情報を送信するためには、ＡＴＳＣ規格のＭｏｂｉｌｅ／Ｈａｎｄｈｅｌｄ（Ｍ／Ｈ）修正版が使用される。現行のＭ／Ｈシステムは、Ｅ−ＶＳＢサービス多重化のために定められた方法に従うＮＵＬＬパケットにカプセル化されたメインサービスストリームと同時にＭ／Ｈサービスをバーストの形で転送する。本システムは、さらなるロバスト性のために直列連結畳み込み符号化（ＳＣＣＣ）を使用する。Ｍ／Ｈ受信を援助するために、既存のＭ／Ｈシステムは、基本の８ＶＳＢ転送に移動体パケットデータで多重化された追加のトレーニングを加えて補い、送信時にトレーニングデータが連続バイト（トレーニング当たり２フルセグメント）で出現するようにしている。従って、利用可能な場合、受信機は、高速で移動するチャンネル状態を追跡するために、この追加のトレーニング情報を利用して受信機のイコライザを更新することができる。本明細書に開示する実施形態の具体例は、ＡＴＳＣ規格のＭ／Ｈ修正版の一部に基づくこと、又はこれを含むことができ、Ｍ／Ｈ及びＡＴＳＣ規格のさらなる変形版及び修正版を含むこともできる。しかしながら、本明細書に開示する視聴覚情報の送信に関する実施形態は、必ずしもＡＴＳＣ又はＭ／Ｈシステムとの使用に限定されるものではなく、ＤＶＢ−Ｔ／Ｈ、ＩＳＤＢ−Ｔ、ＤＭＢ−Ｔ／Ｈなどの他の規格及び／又は修正スキームに基づく視聴覚情報の送信にも等しく適用することができる。
【００２６】
図示のように、システム１００は、送信システム（又は送信システム）１０２と、（移動体装置１１２Ａ〜１１２Ｄなどの）１又はそれ以上の移動体装置１１２と、少なくとも１つの固定装置１１４とを含む。上述したように図１は例示にすぎず、例えば例示的なシステムは、１又はそれ以上の送信システム１０２と、複数の移動体装置１１２と、複数の固定装置１１４とを含むことができる。
【００２７】
送信システム１０２は、視聴覚情報を１又はそれ以上の移動体装置１１２へ無線形式で送信するように構成される。より詳細には、送信システム１０２を、デジタル・テレビジョン信号／チャンネルを移動体装置１１２へ送信するように構成することができる。移動体装置１１２は、視聴覚情報を受信して提示することができ、例えばデジタル・テレビジョン信号／チャンネルを受信して提示することができる。送信システム１０２はまた、視聴覚情報を（固定テレビなどの）固定装置１１４へ無線で送信するように構成することもできる。送信システム１０２はまた、視聴覚情報をテレビなどの１又はそれ以上の固定装置１１４へ送信するようにも構成される。
【００２８】
便宜上、本明細書では、本発明の実施形態を移動体装置１１２による受信に関して説明する。また一方、当然ながら本明細書で説明する本発明の様々な実施形態を固定装置による受信に使用することもできる。例えば、本発明の１つの実施形態は、地上放送のロバスト性を強化するために、固定装置１１４が追加のエラー訂正情報を受信できるようにする。従って、本明細書で説明する様々な方法のいずれかを、移動体装置１１２又は固定装置１１４、又はこれらの両方とともに望む通りに利用することができる。
【００２９】
送信システム１０２は、送信機１０６と、この送信機１０６に結合された送信論理回路１０４とを含む。送信論理回路１０４は、（付属のソフトウェアを含む）１又はそれ以上のコンピュータシステム、デジタル論理回路、アナログ論理回路、プログラマブルゲートアレイなどの様々な種類の論理回路のいずれか、又はこれらの組み合わせを含むことができる。送信論理回路１０４は、（テレビデータなどの）視聴覚情報を受信及び／又は記憶して、この視聴覚情報を含むパケットを生成するようにされる。送信論理回路１０４は、８−ＶＳＢ変調などを使用して、ＡＴＳＣ（Ａｄｖａｎｃｅｄ  Ｔｅｌｅｖiｓiｏｎ  Ｓｙｓｔｅｍｓ  Ｃｏｍｍiｔｅｅ）規格などの様々な規格のいずれかに基づいてパケット
を生成することができる。送信システム１０２は、ＤＶＢ−Ｔ／Ｈ、ＩＳＤＢ−Ｔ、ＤＭＢ−Ｔ／Ｈなどの他の変調方式を使用することもできる。送信論理回路１０４はまた、エラー訂正符号化情報を生成するようにもされる。例えば、送信論理回路１０４を、（以下に限定されるわけではないが、）（トレリス符号化などの）畳み込み符号化、（リードソロモン符号化などの）ブロック符号化、又はその他のエラー訂正技術を含む様々な種類のエラー訂正技術のいずれかを使用してデータを符号化するように構成することができる。送信論理回路１０４を、２以上のエラー訂正技術を使用してデータを符号化するように構成することができる。送信論理回路１０４はまた、本明細書で説明するような制御情報を含むパケットを生成するようにも構成される。１つの実施形態では、デジタル・テレビジョン・チャンネルの１又はそれ以上が、テレビなどの固定受信機向けに企図される。デジタル・テレビジョン・チャンネルの１又はそれ以上を、移動体及び／又はハンドヘルド（Ｍ／Ｈ）（本明細書ではまとめて「移動体」と呼ぶ）装置１１２向けに企図することもできる。１つの実施形態では、デジタル・テレビジョン・チャンネルの１又はそれ以上を、固定受信機又は移動体装置のいずれかに向けて企図することができる。
【００３０】
本明細書で説明するように、移動体装置１１２向けに企図されたデジタル・テレビジョン・チャンネルの場合（そして場合によっては固定装置１１４及び／又は移動体装置１１２向けに企図されたチャンネルなどの全てのチャンネルの場合）、送信論理回路１０４を、エラー訂正符号化情報を含むパケットを生成するように構成することができる。例えば、送信論理回路１０４は、視聴覚情報のためのエラー訂正符号化情報を生成することができ、またエラー訂正符号化情報を視聴覚情報とは別の（１又は複数の）パケットに含めて、エラー訂正符号化情報を視聴覚情報に関連付けるための制御情報を含む別の（１又は複数の）パケットとともに送信することができる。従って、エラー訂正符号化情報を使用する必要がない、又は使用するように構成されていない（固定受信機などの）受信機は、エラー訂正符号化情報パケットを無視して、視聴覚情報を通常の視聴覚ストリームとして単純に受信できるのに対し、追加のエラー訂正符号化情報を必要とし、このエラー訂正符号化情報を使用するように構成されている（移動体装置などの）受信機は、（制御情報などに基づいて）エラー訂正符号化情報を視聴覚情報に関連付けることにより、よりロバストなシステムを実現することができる。さらに、送信論理回路１０４が制御情報を使用して、受信機が使用できる新たな種類のエラー訂正符号化を生成して送信することができる。
【００３１】
移動体装置１１２は、ポータブルコンピュータシステム（ラップトップ）１１２Ａ、（Ｂｌａｃｋｂｅｒｒｙ、iＰｈｏｎｅなどの）無線電話機１１２Ｂ、携帯情報端末１１２
Ｃ、車載型テレビ装置１１２Ｄ、及び受信した視聴覚情報を表示できるその他の種類の携帯機器などの様々な種類の装置のいずれであってもよい。
【００３２】
移動体装置１１２は、視聴覚情報を含むパケット、エラー訂正符号化情報を含むパケット、及び制御情報を含むパケットを含む、送信機１０６により送信されたパケットを（アンテナなどを使用して）無線で受信するように構成される。それぞれの移動体装置１１２は、受信した視聴覚情報を処理するための受信機論理回路、及びビデオ情報を提示するためのディスプレイと音声情報を提示するための１又はそれ以上のスピーカとを含むこともできる。従って、移動体装置１１２の各々は、本明細書で説明するような受信したテレビチャンネルを提示するためのテレビのような能力を含むことができる。
【００３３】
固定装置１１４は、液晶ディスプレイ（ＬＣＤディスプレイ）、プラズマディプレイなどの従来のテレビのような、固定位置に設置されることを意図された（固定式又は「非モバイル」と呼ぶ）様々な種類の装置のいずれであってもよい。
【００３４】
図２−送信フロー図
図２は、視聴覚情報を送信するための方法を示すフロー図である。この方法は、上述したような及び図１に示すような、送信論理回路及び送信機を含むシステムなどの送信システムにより実施することができる。視聴覚情報は、移動体装置が受信するためのものであってもよく、或いは、この視聴覚情報は、固定装置が、又は移動体装置及び固定装置の両方が受信するためのものであってもよい。なお、様々な実施形態によれば、ステップのうちの１又はそれ以上を省略し、反復し、或いは図２に示し以下で説明するものとは異なる順序で実施することができる。
【００３５】
２０２において、視聴覚情報を含む第１の複数のパケットを生成することができる。視聴覚情報を含むパケットは、移動体装置及び／又は固定装置向けに企図された１又はそれ以上のコンテンツストリームを含むことができる。１つの実施形態では、（テレビなどの）固定受信機向けに企図された１又はそれ以上のデジタル・テレビジョン・チャンネルを含むＡＴＳＣ（Ａｄｖａｎｃｅｄ  Ｔｅｌｅｖiｓiｏｎ  Ｓｙｓｔｅｍｓ  Ｃｏｍｍiｔ
ｅｅ）ＤＴＶ（デジタル・テレビジョン）規格に基づいてパケットを生成することができ、これとは別に或いはこれに加えて、パケットは、移動体／ハンドヘルド（Ｍ／Ｈ）受信機向けに企図された１又はそれ以上のデジタル・テレビジョン・チャンネルを含むことができる。
【００３６】
視聴覚情報を含むパケットの生成は、（ＭＰＥＧ−２符号化などを使用して）音声及びビデオデータを符号化するステップ、順方向エラー訂正を適用するステップ、適当なパケットヘッダ及び制御情報を生成するステップなどの様々なステップを含むことができる。順方向エラー訂正は、リードソロモン（ＲＳ）符号化、トレリス符号化、巡回冗長コード（ＣＲＣ）を含むあらゆる数の形、又は複数の方法の組み合わせを含む他のあらゆるエラー訂正符号化の形をとることができる。
【００３７】
２０４において、視聴覚情報のためのエラー訂正符号化情報を含む第２の複数のパケットを生成することができる。第２の複数のパケットに含まれるエラー訂正符号化情報は、望む通りのいずれの種類のエラー訂正符号化であってもよく、従って第１の複数のパケットに含まれるエラー訂正符号化情報と同じもの又は異なるものであってもよい。第２の複数のパケットに含まれるエラー訂正情報は、第１の複数のパケットに含まれるあらゆるエラー訂正情報を補足するものとすることができる。１つの実施形態では、第１の複数のパケット及び第２の複数のパケットの両方が、図６に示しこれに関して説明するような４状態畳み込み符号器からの符号化情報を含むことができる。
【００３８】
特定の実施形態では、視聴覚情報を含むパケットが、系統的（すなわち入力（視聴覚）データを含む）符号化スキームを含むことができるのに対し、追加のエラー訂正符号化情報を含むパケットは、補完的な非系統的（すなわち符号化（エラー訂正）データのみを含む）符号化スキームを含むことができる。本明細書では、これを「メインストリーム増強」と呼び、図１３及び図１４に関して例示的な実施形態に基づいてより詳細に説明する。
【００３９】
別の実施形態では、追加のエラー訂正情報を含むパケットが、２以上の補完的な非系統的符号化スキームを含むことができる。換言すれば、視聴覚ストリームに含まれる系統的符号化スキームと、互いに補完的な及び視聴覚ストリームに含まれる系統的符号化スキームを補完する、別個のエラー訂正ストリームに含まれる２又はそれ以上のエラー訂正符号化パターンとが存在することができる。本明細書では、これを「入れ子型ストリーム符号化」と呼び、図２２に関して例示的な実施形態に基づいてより詳細に説明する。
【００４０】
いくつかの実施形態では、これらの視聴覚ストリーム及び／又はエラー訂正ストリームの２又はそれ以上を時間及び／又は周波数で分離することができる。換言すれば、１つのストリームをある時刻に特定の周波数で送信できる一方で、別のストリームを指定した時間遅延で及び／又は異なる周波数で送信することができる。これをメインストリーム増強、入れ子型ストリーム符号化、又は（後程定義する）スタガー・キャスティングのいずれかと組み合わせて望む通りに使用することができる。本明細書では、これを「送信ダイバーシティ」と呼び、図１９〜図２１に関してより完全に説明する。
【００４１】
２０６において、エラー訂正符号化を視聴覚情報に関連付けるための命令を含む制御情報を生成することができる。制御情報は、どのエラー訂正符号化情報をどの視聴覚情報に関連付けるべきかを指示することができ、また関連付けるべきエラー訂正符号化情報と視聴覚情報を複数のパケットのどこで見つけられるかを指示することができる。換言すれば、第１の複数のパケット及び第２の複数のパケットを受信する移動体装置がこの制御情報を使用して、第１の複数のパケットからの視聴覚情報の特定のブロックを処理するために、第２の複数のパケットに含まれるどのエラー訂正情報を使用すべきかを判断することができる。制御情報は、多数のフォーマットであってもよく、又はこれを複数のフォーマットに分割してもよい。例えば、ＡＴＳＣ  Ｍ／Ｈシステムには、高速情報チャンネル（ＦＩＣ）及び送信プロトコル・チャンネル（ＴＰＣ）が存在することができる。これらの各々は、制御情報の一部を含むことができる。１つの実施形態では、（第２の複数のパケットに含まれる追加のエラー訂正情報の存在などの）増強メインストリームの存在をＴＰＣでシグナリングできるのに対し、追加のエラー訂正の場所、長さ、及び形式（及び／又は他の情報）をＦＩＣでシグナリングすることができる。ＴＰＣ及びＦＩＣシグナリング及び構文の特定の実施形態を図１６〜図１８に示し、これに関して説明しているが、これらは例示にすぎず、第２の複数のパケットに含まれるエラー訂正符号化情報を第１の複数のパケットに含まれる視聴覚情報に関連付けるための他の種類の制御情報（又はＴＰＣ及び／又はＦＩＣのための他の構文）も考えられる。関連付けるべき情報のいずれかが時間及び／又は周波数で分離されている場合（すなわち、情報の送信が時間ダイバース及び／又は周波数ダイバースである場合）、制御情報はこのことを指示することもできる。
【００４２】
一般に、本明細書では、制御情報を使用して（視聴覚、エラー訂正、又はその他の）情報の別個のストリームをともに使用するように関連付けることを「クロス・ストリーム・アソシエーション」と呼ぶ。クロス・ストリーム・アソシエーションは、メインストリーム増強、入れ子型ストリーム符号化、及び（後程定義する）スタガー・キャスティングに対する基礎的概念であり、パケット化データ送信を、及び特に移動体装置のための視聴覚情報のパケット化送信を大幅に改善するために、特にこれらの場合と組み合わせた送信ダイバーシティの計画的及び系統的使用を可能にする。
【００４３】
２０８において、制御情報を含む第３の複数のパケットを生成することができる。この制御情報は、第１の複数のパケット及び第２の複数のパケットと同様の方法でパケット化することができる。代替の実施形態では、制御情報の一部又は全てを第３の複数のパケットに別個に含めるのではなく、第１の複数のパケット又は第２の複数のパケットのいずれかに、或いはこれらの両方に含めることができる。しかしながら、いくつかの実施形態では、固定装置及び移動体装置の両方が視聴覚ストリームを使用できるべきではあるものの固定装置が制御情報を使用できない可能性がある場合などには、制御情報を別個に送信することの方が有益な場合があり、この場合、制御情報を視聴覚情報とともに送信すると、固定装置が使用できない視聴覚ストリームを与えてしまう可能性がある。
【００４４】
図２〜図５は、制御データを第３の（又は第５の）複数のパケットに、すなわち視聴覚情報及びエラー訂正情報を含むパケットとは別のパケットに入れる実施形態を示している。しかしながら、上述したように、制御データは、第１又は第２の複数のパケットのいずれかに、或いはこれらの両方に入れることができる（図２及び図４の場合）。図３及び図５の場合、制御データを第１〜第４の複数のパケットのいずれか１つ又はそれ以上に望む通りに入れることができる。
【００４５】
２１０において、第１、第２、及び（場合によっては）第３の複数のパケットを含む複数のパケットを送信することができる。これらの複数のパケットの送信は、第１、第２、及び第３の複数のパケットを多重化するステップ（第１、第２及び第３のストリームを多重化するステップ）を含むことができる。これらの異なるパケット又はストリームを多重化するステップは、それぞれの複数のパケット（又はストリーム）の相対的帯域幅割り当ての比率に基づいて実施することができる。連続モードに対応する１つの実施形態では、これらの異なるパケットストリームを多重化するステップが、これらの相対的帯域幅に基づいてパケットを均一に分散させるようにこれらを順序付けるステップを含む。バースト・モードに対応する別の実施形態では、（固有のバーストに集約された）制御情報が残りのバーストの開始位置を指示することにより、異なるパケット・ストリームが先行する別のバーストに集約される。多重化により、送信オーバーヘッドを低減することができる。１つの実施形態では、この送信方法により、様々なパケット・ストリームの帯域幅割り当てに関するサイズ情報が送信され、このサイズ情報を受信機側で使用して、受信したパケットストリームを逆多重化することができる。
【００４６】
図３−拡張送信フロー図
図３は、視聴覚情報を複数のストリームに含めて送信するための方法を示すフロー図である。この方法は、上述した図１に示すような、送信論理回路及び送信機を含むシステムなどの送信システムにより実施することができる。視聴覚情報は、移動体装置が受信するためのものであってもよく、或いは、この視聴覚情報は、固定装置が、又は移動体装置及び固定装置の両方が受信するためのものであってもよい。なお、様々な実施形態によれば、ステップのうちの１又はそれ以上を省略し、反復し、或いは図２に示し以下で説明するものとは異なる順序で実施することができる。
【００４７】
３０２において、第１の視聴覚情報を含む第１の複数のパケットを生成することができる。第１の視聴覚情報を含むパケットは、移動体装置び／又は固定装置向けに企図された１又はそれ以上のコンテンツストリームを含むことができる。１つの実施形態では、（テレビなどの）固定受信機向けに企図された１又はそれ以上のデジタル・テレビジョン・チャンネルを含むＡＴＳＣ（Ａｄｖａｎｃｅｄ  Ｔｅｌｅｖiｓiｏｎ  Ｓｙｓｔｅｍｓ  Ｃｏｍｍiｔｅｅ）ＤＴＶ（デジタル・テレビジョン）規格に基づいてパケットを生成する
ことができ、これとは別に或いはこれに加えて、パケットは、移動体／ハンドヘルド（Ｍ／Ｈ）受信機向けに企図された１又はそれ以上のデジタル・テレビジョン・チャンネルを含むことができる。
【００４８】
第１の視聴覚情報を含むパケットの生成は、（ＭＰＥＧ−２符号化などを使用して）音声及びビデオデータを符号化するステップ、順方向エラー訂正を適用するステップ、適当なパケットヘッダ及び制御情報を生成するステップなどの様々なステップを含むことができる。順方向エラー訂正は、リードソロモン（ＲＳ）符号化、トレリス符号化、巡回冗長コード（ＣＲＣ）を含むあらゆる数の形、又は複数の方法の組み合わせを含む他のあらゆるエラー訂正符号化の形をとることができる。
【００４９】
３０４において、第１の視聴覚情報のための第１のエラー訂正符号化情報を含む第２の複数のパケットを生成することができる。第２の複数のパケットに含まれる第１のエラー訂正符号化情報は、望む通りのいずれの種類のエラー訂正符号化であってもよく、従って第１の複数のパケットに含まれるエラー訂正符号化情報と同じもの又は異なるものであってもよい。第２の複数のパケットに含まれるエラー訂正符号化情報は、第１の複数のパケットに含まれるあらゆるエラー訂正情報を補足するものとすることができる。１つの実施形態では、第１の複数のパケット及び第２の複数のパケットの両方が、図６に示しこれに関して説明するような４状態畳み込み符号器からの符号化情報を含むことができる。
【００５０】
特定の実施形態では、第１の視聴覚情報を含むパケットが、系統的符号化スキームを含むことができるのに対し、第１のエラー訂正符号化情報を含むパケットは、補完的な非系統的符号化スキームを含むことができる。換言すれば、第１のエラー訂正符号化情報を、（第１の視聴覚情報などの）メインストリームに対して増強したものとすることができる。
【００５１】
別の実施形態では、第１のエラー訂正情報を含むパケットが、２以上の補完的な非系統的符号化スキームを含むことができる。換言すれば、第１の視聴覚ストリームに含まれる系統的符号化スキームと、互いに補完的な及び視聴覚ストリームに含まれる系統的符号化スキームを補完する、別個の（１又は複数の）エラー訂正ストリームに含まれる２又はそれ以上のエラー訂正符号化パターンとが存在することができる。換言すれば、第１のエラー訂正符号化情報を複数の入れ子型ストリームに符号化することができる。
【００５２】
いくつかの実施形態では、これらの視聴覚ストリーム及び／又はエラー訂正ストリームの２又はそれ以上を時間及び／又は周波数で分離することができる。換言すれば、１つのストリームをある時刻に特定の周波数で送信できる一方で、別のストリームを指定した時間遅延で及び／又は異なる周波数で送信することができる。これをメインストリーム増強、入れ子型ストリーム符号化、又は（以下で定義する）スタガー・キャスティングのいずれかと組み合わせて望む通りに使用することができる。換言すれば、視聴覚情報及び／又はエラー訂正符号化情報の複数のストリームを送信ダイバーシティのために構成することができる。
【００５３】
３０６において、第２の視聴覚情報を含む第３の複数のパケットを生成することができる。第２の視聴覚情報は、第１の視聴覚情報を補完するもの、部分的に補完して部分的に重複するもの、又は完全に重複するものであってもよい。一般に、第１及び第２の視聴覚情報は、互いに関連付けられることにより恩恵を受けることができ、例えば、第１及び第２の視聴覚情報が互いに高め合ってよりロバストな信号を生成することができる。
【００５４】
３０８において、第２の視聴覚情報のための第２のエラー訂正符号化情報を含む第４の複数のパケットを生成することができる。第２のエラー訂正符号化情報は、望む通りのいずれの種類のエラー訂正符号化であってもよく、従って第３の複数のパケットに含まれるエラー訂正符号化情報と同じもの又は異なるものであってもよい。第４の複数のパケットに含まれるエラー訂正情報は、第３の複数のパケットに含まれるあらゆるエラー訂正情報を補足するものとすることができる。１つの実施形態では、第３の複数のパケット及び第４の複数のパケットの両方が、図６に示しこれに関して説明するような４状態畳み込み符号器からの符号化情報を含むことができる。
【００５５】
特定の実施形態では、第３の複数のパケットが系統的符号化スキームを含むことができるのに対し、第４の複数のパケットが補完的な非系統的符号化スキームを含むことができる。従って、いくつかの実施形態では、第１の視聴覚情報を系統的符号化スキームにおける入力データとすることができ、第２の視聴覚情報を補完的な又は重複する符号化スキームにおける補完的な又は重複する入力データとすることができる。補完的な又は重複する符号化スキームのための符号化データ（エラー訂正情報）は補完的なものとすることができる。
【００５６】
視聴覚ストリーム（第１及び第３の複数のパケット）は、この補完的エラー訂正情報を含むことができ、これとは別に或いはこれに加えて、補完的エラー訂正符号化情報を、第２及び第４の複数のパケットに含まれるエラー訂正情報とすることもできる。いくつかの実施形態では、第２及び／又は第４のパケットに含まれるエラー訂正符号化情報を系統的符号化スキームとすることができる。従って、いくつかの実施形態では、補完的エラー訂正符号化情報に視聴覚ストリームを重複又は補完させたいくつかのストリームが存在することができる。別の考えられる実施形態では、第２及び第４の複数のパケットに含まれるエラー訂正情報が、非系統的ではあるがやはり補完的なものであってもよい。この場合、複数の補完的な／重複する視聴覚ストリームに加え、入れ子型ストリーム符号化が存在するようになる。
【００５７】
換言すれば、視聴覚データを重複するもの又は補完的なもののいずれかとする一方で、エラー訂正情報を補完的なものとすることができる。このようにして、装置は、第１の視聴覚情報を含む第１のパケット、又は第２の視聴覚情報を含む第３のパケットのいずれかを受信することができ、補完的な／重複する視聴覚情報が受信されなかった場合でも視聴覚情報を使用することができる。一方で、補完的な／重複する視聴覚情報が全て受信された場合、補完的符号化データがさらなるロバスト性を提供して低い受信閾値を可能にすることができる。本明細書では、視聴覚データを補完的エラー訂正情報に重複させた複数のストリームが送信される場合のことを「スタガー・キャスティング」と呼び、図２３〜図２５に関して１つの実施形態で実現できる形でより詳細に説明する。送信ダイバーシティ技術をスタガー・キャスティングに基づいて使用することもでき、換言すれば、補完的な又は重複する視聴覚ストリームの各々を特定の時間遅延で、又は互いに異なる周波数で送信することができる。上述したように、入れ子型ストリーム符号化をスタガー・キャスティングと併せて使用することもできる。ある意味、入れ子型ストリーム符号化とスタガー・キャスティングは、両方ともメインストリーム増強の特別な場合であると考えることができる。
【００５８】
３１０において、第１のエラー訂正符号化情報を第１の視聴覚情報に関連付けるための命令と、第２のエラー訂正符号化情報を第２の視聴覚情報に関連付けるための命令とを含む制御情報を生成することができる。制御情報は、どのエラー訂正符号化情報をどの視聴覚情報に関連付けるべきかを指示することができ、また関連付けるべきエラー訂正符号化情報と視聴覚情報を複数のパケットのどこで見つけられるかを指示することができる。換言すれば、第１の複数のパケット及び第２の複数のパケットを受信する移動体装置がこの制御情報を使用して、第１の複数のパケットからの視聴覚情報の特定のブロックを処理するために、第２の複数のパケットに含まれるどのエラー訂正情報を使用すべきかを判断することができる。制御情報に含まれる命令は、視聴覚情報の複数のブロックを互いに関連付けるべきかどうか、例えば、第１及び第３の複数のパケットが補完的な又は重複する情報を含むかどうかを指示することもできる。同様に、個々の視聴覚ストリームに関連するエラー訂正符号化を、制御情報に含まれる命令により明示的に、或いは補完的な又は重複する視聴覚ストリームの互いの関連性に起因して本質的に、のいずれかによって別の（補完的な又は重複する）視聴覚ストリームに関連付けることができる。要するに、制御情報に含まれる命令により、クロス・ストリーム・アソシエーションを効果的に形成することができる。
【００５９】
制御情報は、多数のフォーマットであってもよく、又は複数のフォーマットに分割されてもよい。例えば、ＡＴＳＣ  Ｍ／Ｈシステムには、高速情報チャンネル（ＦＩＣ）及び送信プロトコル・チャンネル（ＴＰＣ）が存在することができる。これらの各々は、制御情報の一部を含むことができる。１つの実施形態では、（第２の複数のパケットに含まれる追加のエラー訂正情報の存在などの）増強メインストリームの存在を命令によりＴＰＣでシグナリングできるのに対し、追加のエラー訂正の場所、長さ、及び形式（及び／又は他の情報）を命令によりＦＩＣでシグナリングすることができる。ＴＰＣ及びＦＩＣシグナリング及び構文の特定の実施形態を図１６〜図１８に示し、これに関して説明しているが、これらは例示にすぎず、第２の複数のパケットに含まれるエラー訂正符号化情報を第１の複数のパケットに含まれる視聴覚情報に関連付けるための他の種類の制御情報（又はＴＰＣ及び／又はＦＩＣのための他の構文）も考えられる。関連付けるべき情報のいずれかが時間及び／又は周波数で分離されている場合（すなわち、情報の送信が時間ダイバース及び／又は周波数ダイバースである場合）、制御情報はこのことを指示することもできる。
【００６０】
３１２において、制御情報を含む第５の複数のパケットを生成することができる。この制御情報は、第１の複数のパケット（及びその他の複数のパケット）と同様の方法でパケット化することができる。代替の実施形態では、制御情報の一部又は全てを第５の複数のパケットに別個に含めるのではなく、他の複数のパケットの１又はそれ以上に含めることができる。しかしながら、いくつかの実施形態では、固定装置及び移動体装置の両方が（単複の）視聴覚ストリームを使用できるべきではあるものの固定装置が制御情報を使用できない可能性がある場合などには、制御情報を別個に送信することの方が有益な場合があり、この場合、制御情報を視聴覚情報とともに送信すると、固定装置が使用できない視聴覚ストリームを与えてしまう可能性がある。
【００６１】
３１４において、第１、第２、第３、第４、及び第５の複数のパケットを含む複数のパケットを送信することができる。これらの複数のパケットの送信は、第１、第２、第３、第４、及び第５の複数のパケットを多重化するステップ（第１、第２及び第３のストリームを多重化するステップ）を含むことができる。これらの異なるパケット又はストリームを多重化するステップは、それぞれの複数のパケット（又はストリーム）の相対的帯域幅割り当ての比率に基づいて実施することができる。連続モードに対応する１つの実施形態では、これらの異なるパケットストリームを多重化するステップが、これらの相対的帯域幅に基づいてパケットを均一に分散させるようにこれらを順序付けるステップを含む。バースト・モードに対応する別の実施形態では、（固有のバーストに集約された）制御情報が残りのバーストの開始位置を指示することにより、異なるパケット・ストリームが先行する別のバーストに集約される。多重化により、送信オーバーヘッドを低減することができる。１つの実施形態では、この送信方法により、様々なパケット・ストリームの帯域幅割り当てに関するサイズ情報が送信され、このサイズ情報を受信機側で使用して、受信したパケット・ストリームを逆多重化することができる。
【００６２】
図４−受信フロー図
図４は、視聴覚情報を受信して提示するための方法を示すフロー図である。この方法は、ポータブル・コンピュータシステム（ラップトップ）、（Ｂｌａｃｋｂｅｒｒｙ、iＰ
ｈｏｎｅなどの）無線電話機、携帯情報端末、車載型テレビ装置、及び受信した視聴覚情報を表示できるその他の種類の携帯機器などの、上述した図１に示すような移動体装置により実施することができる。或いは、いくつかの実施形態では、この方法を、液晶ディスプレイ（ＬＣＤディスプレイ）テレビ、プラズマディス・プレイテレビなどの従来のテレビのような、図１に示し上述したような固定装置により実施することができる。なお、様々な実施形態によれば、ステップのうちの１又はそれ以上を省略し、反復し、或いは図２に示し以下で説明するものとは異なる順序で実施することができる。
【００６３】
４０２において、視聴覚情報を含む第１の複数のパケットを受信することができる。視聴覚情報を含むパケットは、移動体装置及び／又は固定装置向けに企図された１又はそれ以上のコンテンツ・ストリームを含むことができる。１つの実施形態では、（テレビなどの）固定受信機向けに企図された１又はそれ以上のデジタル・テレビジョン・チャンネルを含むＡＴＳＣ（Ａｄｖａｎｃｅｄ  Ｔｅｌｅｖiｓiｏｎ  Ｓｙｓｔｅｍｓ  Ｃｏｍｍi
ｔｅｅ）ＤＴＶ（デジタル・テレビジョン）規格に基づいてパケットを生成することができ、これとは別に或いはこれに加えて、パケットは、移動体／ハンドヘルド（Ｍ／Ｈ）受信機向けに企図された１又はそれ以上のデジタル・テレビジョン・チャンネルを含むことができる。視聴覚情報を含むパケットは、順方向エラー訂正などのエラー訂正符号化を含むこともでき、これは、以下に限定されるわけではないが、ＲＳ符号化、トレリス符号化、ＣＲＣを含むあらゆる数の形、又は複数の方法の組み合わせを含む他のあらゆるエラー訂正符号化の形をとることができる。
【００６４】
４０４において、視聴覚情報のためのエラー訂正符号化情報を含む第２の複数のパケットを受信することができる。第２の複数のパケットに含まれるエラー訂正符号化情報は、望む通りのいずれの種類のエラー訂正符号化であってもよく、従って第１の複数のパケットに含まれるエラー訂正符号化情報と同じもの又は異なるものであってもよい。第２の複数のパケットに含まれるエラー訂正情報は、第１の複数のパケットに含まれるあらゆるエラー訂正情報を補足するものとすることができる。１つの実施形態では、第１の複数のパケット及び第２の複数のパケットの両方が、図６に示しこれに関して説明するような４状態畳み込み符号器からの符号化情報を含むことができる。
【００６５】
特定の実施形態では、視聴覚情報を含むパケットが、系統的（すなわち入力（視聴覚）データを含む）符号化スキームを含むことができるのに対し、追加のエラー訂正符号化情報を含むパケットは、補完的な非系統的（すなわち符号化（エラー訂正）データのみを含む）符号化スキームを含むことができる。換言すれば、エラー訂正符号化情報を、（視聴覚情報などの）メインストリームに対して増強したものとすることができる。
【００６６】
別の実施形態では、追加のエラー訂正情報を含むパケットが、２以上の補完的な非系統的符号化スキームを含むことができる。換言すれば、視聴覚ストリームに含まれる系統的符号化スキームと、互いに補完的な及び視聴覚ストリームに含まれる系統的符号化スキームを補完する、別個のエラー訂正ストリームに含まれる２又はそれ以上のエラー訂正符号化パターンとが存在することができる。換言すれば、エラー訂正符号化情報を複数の入れ子型ストリームに符号化することができる。
【００６７】
いくつかの実施形態では、これらの視聴覚ストリーム及び／又はエラー訂正ストリームの２又はそれ以上を時間及び／又は周波数で分離することができる。換言すれば、１つのストリームをある時刻に特定の周波数で受信できる一方で、別のストリームを指定した時間遅延で及び／又は異なる周波数で受信することができる。換言すれば、視聴覚情報とエラー訂正符号化情報の間に送信ダイバーシティが存在することができる。
【００６８】
４０６で、エラー訂正符号化を視聴覚情報に関連付けるための命令を含む制御情報を含む第３の複数のパケットを受信することができる。制御情報は、どのエラー訂正符号化情報がどの視聴覚情報に関連付けられているかを指示することができ、また関連するエラー訂正符号化情報と視聴覚情報を複数のパケットのどこで見つけられるかを指示することができる。換言すれば、移動体装置がこの制御情報を使用して、第１の複数のパケットからの視聴覚情報の特定のブロックを処理するために、第２の複数のパケットに含まれるどのエラー訂正情報を使用すべきかを判断することができる。要するに、制御情報に含まれる命令により、クロス・ストリーム・アソシエーションを効果的に形成することができる。
【００６９】
制御情報は、多数のフォーマットであってもよく、又はこれを複数のフォーマットに分割してもよい。例えば、ＡＴＳＣ  Ｍ／Ｈシステムには、高速情報チャンネル（ＦＩＣ）及び送信プロトコル・チャンネル（ＴＰＣ）が存在することができる。これらの各々は、制御情報の一部を含むことができる。１つの実施形態では、（第２の複数のパケットに含まれる追加のエラー訂正情報の存在などの）増強メインストリーム、すなわち入れ子型ストリームの存在をＴＰＣでシグナリングできるのに対し、追加のエラー訂正の場所、長さ、及び形式（及び／又は他の情報）をＦＩＣでシグナリングすることができる。ＴＰＣ及びＦＩＣシグナリング及び構文の特定の実施形態を図１６〜図１８に示し、これに関して説明しているが、これらは例示にすぎず、第２の複数のパケットに含まれるエラー訂正符号化情報を第１の複数のパケットに含まれる視聴覚情報に関連付けるための他の種類の制御情報（又はＴＰＣ及び／又はＦＩＣのための他の構文）も考えられる。関連付けるべき情報のいずれかが時間及び／又は周波数で分離されている場合（すなわち、情報の送信が時間ダイバース及び／又は周波数ダイバースである場合）、制御情報はこのことを指示することもできる。
【００７０】
４０８において、エラー訂正符号化情報を視聴覚情報に制御情報に基づいて関連付けることができる。移動体装置は、制御情報に含まれるＴＰＣ及びＦＩＣ命令などの命令に基づいて、特定のエラー訂正符号化情報を視聴覚情報の特定の部分に関連付けることができる。
【００７１】
４１０において、視聴覚情報に関連付けられたエラー訂正符号化情報を含む視聴覚情報を処理することができる。視聴覚情報を処理するステップは、例えばデータを逆多重化するステップ、あらゆるエラー訂正情報を復号するステップ、音声及びビデオデータを復号するステップなどの、送信のためにデータを準備する際に及び／又はデータをパケット化する際に行われるあらゆるステップの逆を実施するステップを含むことができる。エラー訂正情報を復号するステップは、第１の複数の（すなわち、視聴覚情報を含む）パケットに含まれて受信されたあらゆるエラー訂正情報、及び制御情報に含まれる命令に基づいて視聴覚情報に関連付けられた第２の複数の（すなわち、視聴覚情報から分離された）パケットに含まれて受信されたあらゆるエラー訂正情報の両方を復号するステップを含むことができる。
【００７２】
４１２において、処理した視聴覚情報を提示することができる。処理した視聴覚情報を提示するステップは、ビデオ情報をディスプレイ上に提示するステップ、及び／又は音声情報を１又はそれ以上のスピーカ上に提示するステップを含むことができる。
【００７３】
図５−拡張受信フロー図
図５は、視聴覚情報を受信して提示するための方法を示すフロー図である。この方法は、ポータブル・コンピュータ・システム（ラップトップ）、（Ｂｌａｃｋｂｅｒｒｙ、i
Ｐｈｏｎｅなどの）無線電話機、携帯情報端末、車載型テレビ装置、及び受信した視聴覚情報を表示できるその他の種類の携帯機器などの、上述した図１に示すような移動体装置により実施することができる。或いは、いくつかの実施形態では、この方法を、液晶ディスプレイ（ＬＣＤディスプレイ）テレビ、プラズマディスプレイ・テレビなどの従来のテレビのような、図１に示し上述したような固定装置により実施することができる。なお、様々な実施形態によれば、ステップのうちの１又はそれ以上を省略し、反復し、或いは図２に示し以下で説明するものとは異なる順序で実施することができる。
【００７４】
５０２において、第１の視聴覚情報を含む第１の複数のパケットを受信することができる。第１の視聴覚情報を含むパケットは、移動体装置及び／又は固定装置向けに企図された１又はそれ以上のコンテンツ・ストリームを含むことができる。１つの実施形態では、（テレビなどの）固定受信機向けに企図された１又はそれ以上のデジタル・テレビジョン・チャンネルを含むＡＴＳＣ（Ａｄｖａｎｃｅｄ  Ｔｅｌｅｖiｓiｏｎ  Ｓｙｓｔｅｍｓ  Ｃｏｍｍiｔｅｅ）ＤＴＶ（デジタル・テレビジョン）規格に基づいてパケットを生成
することができ、これとは別に或いはこれに加えて、パケットは、移動体／ハンドヘルド（Ｍ／Ｈ）受信機向けに企図された１又はそれ以上のデジタル・テレビジョン・チャンネルを含むことができる。第１の視聴覚情報を含むパケットは、順方向エラー訂正などのエラー訂正符号化を含むこともでき、これは、以下に限定されるわけではないが、ＲＳ符号化、トレリス符号化、ＣＲＣを含むあらゆる数の形、又は複数の方法の組み合わせを含む他のあらゆるエラー訂正符号化の形をとることができる。
【００７５】
５０４において、第１の視聴覚情報のための第１のエラー訂正符号化情報を含む第２の複数のパケットを受信することができる。第１のエラー訂正符号化情報は、望む通りのいずれの種類のエラー訂正符号化であってもよく、従って第１の複数のパケットに含まれるエラー訂正符号化情報（もしあれば）と同じもの又は異なるものであってもよい。第１のエラー訂正情報は、第１の複数のパケットに含まれるあらゆるエラー訂正情報を補足するものとすることができる。１つの実施形態では、第１の複数のパケット及び第２の複数のパケットの両方が、図６に示しこれに関して説明するような４状態畳み込み符号器からの符号化情報を含むことができる。
【００７６】
特定の実施形態では、第１の視聴覚情報を含むパケットが、系統的符号化スキームを含むことができるのに対し、第１のエラー訂正符号化情報を含むパケットは、補完的な非系統的符号化スキームを含むことができる。換言すれば、第１のエラー訂正符号化情報を、（第１の視聴覚情報などの）メインストリームに対して増強したものとすることができる。
【００７７】
別の実施形態では、追加のエラー訂正情報を含むパケットが、２以上の補完的な非系統的符号化スキームを含むことができる。換言すれば、視聴覚ストリームに含まれる系統的符号化スキームと、互いに補完的な及び視聴覚ストリームに含まれる系統的符号化スキームを補完する、別個のエラー訂正ストリームに含まれる２又はそれ以上のエラー訂正符号化パターンとが存在することができる。換言すれば、第１のエラー訂正符号化情報を複数の入れ子型ストリームに符号化することができる。
【００７８】
いくつかの実施形態では、これらの視聴覚ストリーム及び／又はエラー訂正符号化パターンの２又はそれ以上を時間及び／又は周波数で分離することができる。換言すれば、１つのストリームをある時刻に特定の周波数で受信できる一方で、別のストリームを指定した時間遅延で及び／又は異なる周波数で受信することができる。換言すれば、視聴覚情報とエラー訂正符号化情報の間に送信ダイバーシティが存在することができる。
【００７９】
５０６において、第２の視聴覚情報を含む第３の複数のパケットを受信することができる。第２の視聴覚情報は、第１の視聴覚情報を補完するもの、部分的に補完して部分的に重複するもの、又は完全に重複するものであってもよい。一般に、第１及び第２の視聴覚情報は、互いに関連付けられることにより恩恵を受けることができ、例えば、第１及び第２の視聴覚情報が互いに高め合ってよりロバストな信号を生成することができる。
【００８０】
５０８において、第２の視聴覚情報のための第２のエラー訂正符号化情報を含む第４の複数のパケットを受信することができる。第２のエラー訂正符号化情報は、望む通りのいずれの種類のエラー訂正符号化であってもよく、従って第３の複数のパケットに含まれるエラー訂正符号化情報と同じもの又は異なるものであってもよい。第４の複数のパケットに含まれるエラー訂正情報は、第３の複数のパケットに含まれるあらゆるエラー訂正情報を補足するものとすることができる。１つの実施形態では、第３の複数のパケット及び第４の複数のパケットの両方が、図６に示しこれに関して説明するような４状態畳み込み符号器からの符号化情報を含むことができる。
【００８１】
特定の実施形態では、第３の複数のパケットが系統的符号化スキームを含むことができるのに対し、第４の複数のパケットが補完的な非系統的符号化スキームを含むことができる。従って、いくつかの実施形態では、第１の視聴覚情報を系統的符号化スキームにおける入力データとすることができ、第２の視聴覚情報を補完的な又は重複する符号化スキームにおける補完的な又は重複する入力データとすることができる。補完的な又は重複する符号化スキームのための符号化データ（エラー訂正情報）は補完的なものとすることができる。
【００８２】
視聴覚ストリーム（第１及び第３の複数のパケット）は、この補完的エラー訂正情報を含むことができ、これとは別に或いはこれに加えて、補完的エラー訂正符号化情報が、第２及び第４の複数のパケットに含まれるエラー訂正情報とすることもできる。いくつかの実施形態では、第２及び／又は第４のパケットに含まれるエラー訂正符号化情報を系統的符号化スキームとすることができる。従って、いくつかの実施形態では、補完的エラー訂正符号化情報に視聴覚ストリームを重複又は補完させたいくつかのストリームが存在することができる。別の考えられる実施形態では、第２及び第４の複数のパケットに含まれるエラー訂正情報が、非系統的ではあるがやはり補完的なものであってもよい。この場合、複数の補完的な／重複する視聴覚ストリームに加え、入れ子型ストリーム符号化が存在するようになる。
【００８３】
換言すれば、視聴覚データを重複するもの又は補完的なもののいずれかとする一方で、エラー訂正情報を補完的なものとすることができる。このようにして、装置は、第１の視聴覚情報を含む第１のパケット、又は第２の視聴覚情報を含む第３のパケットのいずれかを受信することができ、補完的な／重複する視聴覚情報が受信されなかった場合でも視聴覚情報を使用することができる。一方で、補完的な／重複する視聴覚情報が全て受信された場合、補完的符号化データがさらなるロバスト性を提供して低い受信閾値を可能にすることができる。本明細書では、視聴覚データを補完的エラー訂正情報に重複させた複数のストリームが送信される場合のことを「スタガー・キャスティング」と呼び、図２３〜図２５に関して１つの実施形態で実現できる形でより詳細に説明する。送信ダイバーシティ技術をスタガー・キャスティングに基づいて使用することもでき、換言すれば、補完的な又は重複する視聴覚ストリームの各々を特定の時間遅延で、又は互いに異なる周波数で送信することができる。上述したように、入れ子型ストリーム符号化をスタガー・キャスティングと併せて使用することもできる。ある意味、入れ子型ストリーム符号化とスタガー・キャスティングは、両方ともメインストリーム増強の特別な場合であると考えることができる。
【００８４】
５１０において、第１のエラー訂正符号化情報を第１の視聴覚情報に関連付けるための命令と、第２のエラー訂正符号化情報を第２の視聴覚情報に関連付けるための命令とを含む制御情報を含む第５の複数のパケットを受信することができる。制御情報は、どのエラー訂正符号化情報をどの視聴覚情報に関連付けるべきかを指示することができ、また関連付けるべきエラー訂正符号化情報と視聴覚情報を複数のパケットのどこで見つけられるかを指示することができる。換言すれば、移動体装置がこの制御情報を使用して、第１の複数のパケットからの視聴覚情報の特定のブロックを処理するために、第２の複数のパケットに含まれるどのエラー訂正情報を使用すべきかを判断することができる。制御情報に含まれる命令は、視聴覚情報の複数のブロックを互いに関連付けるべきかどうか、例えば、第１及び第３の複数のパケットが補完的な又は重複する情報を含むかどうかを指示することもできる。同様に、個々の視聴覚ストリームに関連するエラー訂正符号化を、制御情報に含まれる命令により明示的に、或いは補完的な又は重複する視聴覚ストリームの互いの関連性に起因して本質的に、のいずれかによって別の（補完的な又は重複する）視聴覚ストリームに関連付けることができる。要するに、制御情報に含まれる命令により、クロス・ストリーム・アソシエーションを効果的に形成することができる。
【００８５】
制御情報は、多数のフォーマットであってもよく、又はこれを複数のフォーマットに分割してもよい。例えば、ＡＴＳＣ  Ｍ／Ｈシステムには、高速情報チャンネル（ＦＩＣ）及び送信プロトコル・チャンネル（ＴＰＣ）が存在することができる。これらの各々は、制御情報の一部を含むことができる。１つの実施形態では、（第２の複数のパケットに含まれる追加のエラー訂正情報の存在などの）増強メインストリームの存在を命令によりＴＰＣでシグナリングできるのに対し、追加のエラー訂正の場所、長さ、及び形式（及び／又は他の情報）を命令によりＦＩＣでシグナリングすることができる。ＴＰＣ及びＦＩＣシグナリング及び構文の特定の実施形態を図１６〜図１８に示し、これに関して説明しているが、これらは例示にすぎず、第２の複数のパケットに含まれるエラー訂正符号化情報を第１の複数のパケットに含まれる視聴覚情報に関連付けるための他の種類の制御情報（又はＴＰＣ及び／又はＦＩＣのための他の構文）も考えられる。関連付けるべき情報のいずれかが時間及び／又は周波数で分離されている場合（すなわち、情報の送信が時間ダイバース及び／又は周波数ダイバースである場合）、制御情報はこのことを指示することもできる。
【００８６】
５１２において、第１のエラー訂正符号化情報を第１の視聴覚情報に制御情報に基づいて関連付けることができ、５１４において、第２のエラー訂正符号化情報を第２の視聴覚情報に制御情報に基づいて関連付けることができる。移動体装置は、制御情報に含まれるＴＰＣ及びＦＩＣ命令などの命令に基づいて、特定のエラー訂正符号化情報を視聴覚情報の特定の部分に関連付けることができる。
【００８７】
５１６において、第１及び第２の視聴覚情報に関連付けられた第１及び第２のエラー訂正符号化情報を含む第１及び第２の視聴覚情報を処理することができる。視聴覚情報を処理するステップは、例えばデータを逆多重化するステップ、あらゆるエラー訂正情報を復号するステップ、音声及びビデオデータを復号するステップなどの、送信のためにデータを準備する際に及び／又はデータをパケット化する際に行われるあらゆるステップの逆を実施するステップを含むことができる。エラー訂正情報を復号するステップは、第１の複数の（すなわち、第１の視聴覚情報を含む）パケットに含まれて受信されたあらゆるエラー訂正情報、及び制御情報に含まれる命令に基づいて第１の視聴覚情報に関連付けられた第２の複数の（すなわち、第１の視聴覚情報から分離された）パケットに含まれて受信されたあらゆるエラー訂正情報の両方を復号するステップを含むことができる。同様に、第３の複数のパケットに含まれて受信されたあらゆるエラー訂正符号化情報を、第４の複数のパケットに含まれて受信されたあらゆる関連するエラー訂正符号化情報とともに復号することもできる。いくつかの実施形態では、第２のエラー訂正符号化情報の第１の視聴覚情報との（明示的な又は暗黙的な）関連性により、第１の視聴覚情報を処理する際に第２のエラー訂正符号化情報を使用することができる。同様に、第２の視聴覚情報を処理する際に第１のエラー訂正情報を使用することもできる。同様に、第１及び第２の視聴覚情報が補完的エラー訂正符号化情報を含む場合、これらを同時に処理することができる。関連するエラー訂正符号化情報を処理中にこのように組み合わせることにより、より強固でロバストな視聴覚ストリームを提示できるようになり、及び／又は劣悪な受信状態下でも移動体装置において視聴覚情報を受信して提示することが可能になる。
【００８８】
５１８において、処理した視聴覚情報を提示することができる。処理した視聴覚情報を提示するステップは、ビデオ情報をディスプレイ上に提示するステップ、及び／又は音声情報を１又はそれ以上のスピーカ上に提示するステップを含むことができる。
【００８９】
図６−４状態畳み込み外部コード
図６は、Ｒ＝１／５及びＫ＝３の系統的畳み込み符号化スキーム及び対応する符号化構造を示している。この共通構造に基づき、様々なパンクチャリングパターンを使用して複数の比率（入力ビットをｎ、出力ビットをｋとした場合、Ｒ＝ｎ／ｋ）を導き出すことができる。クロス・ストリーム・アソシエーションに基づき、様々なパンクチャリングパターンを使用して、時間又は周波数で分離された補完的符号化パターンを生じることもできる。図６は特定の畳み込み符号化スキームを示しており、本明細書では便宜上これを参照するが、図６に示し本明細書で説明するスキームに加え、或いはこの代わりに（他の畳み込み符号化スキーム又は他の種類のエラー訂正符号化スキームなどの）他の符号化スキームを使用することもできる。
【００９０】
図７−基本的パンクチャリング・パターン、比率１／２、１／４
図７は、図６に示す畳み込み符号化スキームとともに使用できる２つの基本的パンクチャリング・パターンを示している。図示のように、Ｒ＝１／２の場合には、全ての入力に対して２ビットが送信され、Ｒ＝１／４の場合には、全ての入力ビットに対して４ビットが送信される。図７に示すように、外部畳み込み符号器が系統的なものであるとすると、入力ビットは修正されずに出力に渡され、符号化データとともにビット・タプル(tuples)に並べ替えられる。
【００９１】
図８−追加のパンクチャリング・パターン、比率１／３、２／３、４／５
図８は、図６に示す畳み込み符号化スキームとともに使用できるいくつかの追加のパンクチャリング・パターンを示している。図示のように、様々なパンクチャリング・パターンを使用して、１／３、２／３、又は４／５の比率を生じることができる。他の比率を生じる他のパンクチャリング・パターンも可能である。
【００９２】
図９−増分利得対オーバーヘッド
図９は、増分利得（すなわち、その前の符号化率を超える追加利得）及び関連する帯域幅の様々な符号化率のオーバーヘッドに割かれるパーセンテージを示すグラフである。いくつかの比率を利用できることで、データの符号化に使用する符号化率を動的に変える可能性が広がる。例えば、送信及び／又は受信状態に応じ、状態が比較的良くて利得がそれほど必要でない場合には、（４／５、又は２／３などの）低符号化率の使用を様々に望むことができ、これにより帯域幅オーバーヘッドがセーブされる。或いは、状態があまり安定していない場合（例えば、受信機が車の中にあって高速で移動中の場合）、及び追加利得が望ましい場合には、帯域幅オーバーヘッドの増加を犠牲にして１／３又は１／４などのより高い符号化率が望ましい。
【００９３】
図１０−ブロックプロセッサ
図１０は、Ｍ／Ｈデータブロックを生成するブロック処理を示す図であり、この主な機能は、標準的８ＶＳＢトレリス符号化に連結された外部符号化を実現することである。
【００９４】
図１１−ペイロード長
図１１は、ペイロード長（後述するＴＰＣチャンネル内のパラメータ）をＭ／Ｈフレームの各領域のＳＣＣＣブロック・モード及びフレーム・モードの関数として示す表である。
【００９５】
図１２−ＳＣＣＣ出力／入力ブロック長（ＳＯＢＬ／ＳＩＢＬ）
図１２は、様々な比率における対応するＳＣＣＣ入力ブロック長に対するＳＣＣＣ出力ブロック長を示す表である。オリジナルのＳＣＣＣ出力ブロック長（ＳＯＢＬ）を所与のＭ／Ｈブロックに関して維持するようにＳＣＣＣ入力ブロック長（ＳＩＢＬ）を調整すれば、（Ｒ＝１／３、Ｒ＝２／３、Ｒ＝４／５などの）追加比率の各々に対応することができる。
【００９６】
図１３Ａ及び図１３Ｂ−クロス・ストリーム・アソシエーション、増強メインストリーム符号化
図１３Ａ及び図１３Ｂは、様々な実施形態による、視聴覚情報をストリームするための方法を示している。図１３Ａでは、「メインストリーム・データ」、すなわち固定装置向けに企図されたデータが１つのストリームで送信される。メインストリームは、様々な実施形態による固有のエラー訂正情報を含んでいても、又は含んでいなくてもよい。メインストリーム・データに加え、移動体装置のためのパレード、すなわち追加のエラー訂正符号化を使用するように構成された装置向けに企図された視聴覚情報ストリームが存在してもよい。本明細書で使用するパレードとは、特定のサービスを搬送するために割り当てられた一連の送信Ｍ／Ｈスロットのことを意味する。１つの例として、ＡＴＳＣ規格では、固定装置及び移動体装置の両方に対応するために、既存のサービス／固定サービスのためのメインストリームと、移動体装置及び／又はハンドヘルド装置のためのＭ／Ｈストリームとが存在することができる。従来技術の方法では、既存の装置／固定装置をＭ／Ｈストリームを認識するように構成することができないので、固定装置及び移動体装置の両方に視聴覚情報を送信するためにこのような別個のストリームが必要とされ得るのに対し、移動体装置が移動中の場合、又は別様に理想的な受信状態を満たしていない場合には、移動体装置は、確実な受信を可能にするのに十分なエラー訂正符号化を有していないのでメインストリームを使用することができない。
【００９７】
図１３Ｂでは、メインストリーム・パレードと追加のエラー訂正情報を含むＭ／Ｈパレードとが依然として存在するが、Ｍ／Ｈパレードは別個の視聴覚情報を含んでいない。追加のエラー訂正がメインストリームとは別のパレードでやはり送信されるので、固定装置／既存の装置は、追加のエラー訂正情報を使用するように構成されていない場合でもメインストリームの視聴覚情報を使用することができる。追加のエラー訂正情報をメインストリーム内の対応する情報にリンクさせ又は関連付けるための、移動体装置が使用できる制御情報も存在することができる。このようにして、移動体装置は、メインストリームの視聴覚情報も使用できるようになる。従って、視聴覚情報をエラー訂正符号化情報とは別のストリームで、ただしこれらを関連付けて送信することにより、移動体装置及び固定装置の両方が同じ視聴覚情報を使用できるようになり、例えば図１３Ａに示すように複数の視聴覚ストリームの冗長性を排除する可能性がある。これにより解放される追加の帯域幅を、図１３Ｂの各パレードの端に示す空欄で示している。
【００９８】
この複数のデータ・ストリーム間の情報の関連性が、本明細書でクロス・ストリーム・アソシエーションと呼ぶものである。特に、クロス・ストリーム・アソシエーションを使用して追加のエラー訂正情報をメイン視聴覚情報ストリームに関連付ける場合、この結果生じるデータ・ストリームが、本明細書で増強メインストリームと呼ぶものである。
【００９９】
図１４−畳み込み符号器を使用した増強メインストリーム符号化
図１４は、メインストリームを増強した結果生じる２つの考えられる符号化構造を示している。送信されるビットは、メインストリームで送信されるデータビットを表す。図示のように、これらは、図６に示す畳み込み符号化スキームなどの系統的畳み込み符号器内の入力（データ）ビットに対応することができる。同じ符号化スキームを使用して、エラー訂正符号化ビットの（データ・ストリームを補完するような）パターンを生じることができる。例えば図１３Ｂに関して説明したように、これらの「増強」ビットをメインストリームとは別のストリームで送信することができる。増強ビットを適当なデータ・ビット（例えば、制御情報を持つ）に関連付けて、移動体装置がエラー訂正符号化ビット及びデータビットを取り出せるようにすることにより、１／２、１／４又は別様に符号化された符号化構造を効果的に受信できるようにすることができる。追加のエラー訂正情報を使用できない固定装置は、増強ビットをメインストリームのデータ・ビットに関連付ける制御情報を単純に無視することができる（いくつかの実施形態では、これを認識することができない）。従って、固定装置がメインストリーム・サービスを使用できるようにすることもでき、換言すれば、増強ストリーム符号化によってサービス間のデータ共有を可能にすることができ、例えば１つの実施形態では、レガシーＡＴＳＣサービス及びＡＴＳＣ  Ｍ／Ｈサービスの両方が同じメインストリーム・データを共有できるようにすることができる。
【０１００】
図１５−増強したサービス多重化
図１５は、増強したサービス多重化の１つの考えられる実施形態を示している。図示のように、増強したサービスデータを別個のパレードで転送して、フレームエンコーダ、畳み込み符号器、ヌルカプセル化、及びシグナリングなどのＭ／Ｈ処理の部分をバイパスすることができる。このようにして、メインサービスデータをレガシー受信機からアクセスできる状態にしておく一方で、追加のトレーニングの恩恵を受けて確実な移動体受信を可能にすることもできる。
【０１０１】
図１６Ａ及び１６Ｂ−増強したストリーム編成
高速情報チャンネル（ＦＩＣ）を使用して管理層制御を送信できるようにすることができる。コンテンツ構成ではなくチャンネル・コンテンツ・タイプを提供するいくつかの実施形態では、ＦＩＣがトランスポート層の下で動作することができる。ＦＩＣを使用して、ストリーム・コンテンツを位置付ける場所、及びシステム性能の最大化においてそのコンテンツを使用する方法を受信機に通知することができる。１つの実施形態では、増強ブロックの状態を特定のＭ／Ｈグループにそろえるためにゼロ・パディング又はバイト・スタッフィングを使用することはない。その代わりに、開始位置をシグナリングしなければならない（すなわち変化するので）。増強を定期的な間隔で行って、受信機が、次のブロックのために計算したものをＦＩＣがシグナリングしたものと比較できるようにすることができる。これにより、複数のＦＩＣパケットを使用して信頼性を向上できるようにすることができる。図１６Ａは、メインサービス・パレードをいかにして増強できるかについての例を、増強したストリームと関連するメインストリーム・ブロックとの間にＦＩＣポインタを付して示している。
【０１０２】
図１６Ｂは、増強したストリーム・ブロックとＭ／Ｈブロックとの間のポインタの同様の例を示している。この場合、増強ブロックを、メインサービス・ストリームを増強するために使用するのではなく、移動体装置向けに企図された視聴覚情報ストリームを増強するために使用することができる。Ｍ／Ｈサービスの増強では、例えばメインサービスのサイズを与える（以下でより詳細に説明する）送信パラメータ・チャンネル（ＴＰＣ）が存在することができ、またＭ／ＨサービスをＭ／Ｈフレームの開始に既に同期させておくことができるので、メイン・ストリーム・サービスの増強よりも情報が少なくて済む。しかしながら、いくつかの実施形態では、シグナリングをメインストリーム増強に既に割り当てておかなければならないので、やはり重複情報がシグナリングされる。これにより、将来的な予期せぬ拡張を可能にすることができる。
【０１０３】
図１７Ａ及び１７Ｂ−ＦＩＣ拡張セグメント及び増強タイプモードのビットストリーム構文
図１７Ａは、エラー訂正符号化（増強）ブロックを視聴覚情報のブロックに関連付けるＦＩＣ命令の１つの考えられる構文を示している。増強したパレードをサービ・スブロックに明確に関連付ける命令部分を太字で示している。図示の実施形態では、これらのフィールドが以下を含むことができる。
【０１０４】
関連パレードＩＤ（７ビット）−この増強を適用すべき関連パレードのＩＤ。メインサービスを指定するために１２７の値が確保される。
【０１０５】
サービスのための局（７ビット）−サービスを見いだすことができる局番号。異なる局で増強を行うことができるので、周波数ダイバーシティが可能になるとともに、増強が１９．２８Ｍｂｐｓを超過できるようになる。
【０１０６】
増強タイプ（４ビット）−図１７Ｂは、この実施形態によるこのフィールドの構文を示している。増強タイプは、エラー訂正符号化のタイプ及び／又はパターンを記述する。
【０１０７】
長さｎ（４ビット）−以下のフィールドでニブル数が指定される（４ビットブロック）。
【０１０８】
次の増強ブロックの開始（４ｎビット）−このグループ位置の開始から次の増強ブロックの開始までのパレード・ペイロード・バイトの値。
【０１０９】
サービスのブロックサイズ（４ｎビット）−データを適用するセグメント数のセグメントの総数。
【０１１０】
増強ブロックのサイズ（４ｎバイト）−増強のバイト数。
【０１１１】
ペイロード・データの開始（４ｎビット）−現在のグループからペイロードの開始までのセグメント数。この値は負となり得るので、フィールドは信号整数（ｓｉｇｎａｌ  ｉｎｔｅｇｅｒ）である。Ｍ／Ｈパレードの増強では、この値を常に０にすべきである。このフィールドは、現在のデータ・ストリームの代わりとして、重複情報をどこで発見できるかも指定する（すなわち、ダイバーシティ）。ストリームが冗長性又は増強を有していない場合、この値は現在のサービスを示し、常に０になる。
【０１１２】
図１８−トランスポート・パラメータ・チャンネル構文
（トランスポート層の下で動作する）ＦＩＣに加え、ＰＨＹ層内でシグナリングを行うための送信パラメータ・チャンネル（ＴＰＣ）が存在することができる。ＴＰＣデータは、以下の特性を有する。
‐  複数のデータ値の確率を平均化することで、より良いノイズ排除性を与える
‐  カウンタを介したフレーム・ロケーション情報
‐  フレームＦＥＣセットアップ
‐  固定されたサイズ
‐  将来的なＰＨＹシグナリングに利用可能な（確保されている）３１ビット
ＴＰＣは、増強したパレードの存在を指示することなどのいくつかの基本的なシグナリングに使用することができる。メインサービス又はロバストなＭ／Ｈサービスのいずれかの増強Ｍ／Ｈパレードをシグナリングするために、確保されたビットのいくつかを使用することにより、このような新しいモードをサポートするようにＴＰＣを拡張することができる。図１８は、本発明の１つの実施形態によるＴＰＣ構文を示しており、増強したパレードをシグナリングするために使用するフィールドを太字で示している。図示の実施形態では、これらのフィールドが以下を含むことができる。
【０１１３】
パレード・タイプ（２ビット）−送信中のパレードのタイプを指定する。１つの実施形態による、このフィールドの考えられる値及び対応する意味を表１に示す。
【０１１４】
【表１】
0005695111.tif 000002
【０１１５】
ブロック符号器モード（２ビット）−使用するブロック符号器のタイプを指定する。表２に示すように、ブロック符号器モードを使用してＲＳ＋ＣＲＣの追加を無効にすることができる。
【０１１６】
【表２】
0005695111.tif 000003
【０１１７】
ＳＣＣＣ外部コード・モード拡張（各２ビット）−これを使用して、基本的な１／４及び１／２を超える（１／３、２／３、４／５などの）比率でシグナリングを行うことができる。表３に示すように、ＳＣＣＣ外部コードモードフィールドは、ＳＣＣＣ外部コード・モード拡張への拡張をシグナリングすることができる。
【０１１８】
【表３】
0005695111.tif 000004
【０１１９】
図２０−送信ダイバーシティ
図２０は、送信ダイバーシティの様々な方法を示している。時間遅延及び／又は異なる周波数によって分離されたデータを送信することにより、例えば、バースト・ノイズ又は強度のチャンネル・フェーディングの存在下におけるサービス信頼性を向上させることができる。送信ダイバーシティは、（以下で図２０及び図２１に関して図示し説明するように）冗長（バックアップ）ストリームを様々な遅延又は周波数で単純に送信することを含むことができ、或いはこれをクロス・ストリーム・アソシエーションの概念と結び付けて入れ子型ストリーム符号化を実現することができ、この場合、追加のエラー訂正符号化情報（非系統的符号化、すなわち視聴覚情報を含まない単なるエラー訂正符号化情報）を含む、時間及び／又は周波数で分離された複数の補完的ストリームが送信される。その後、受信機においてこの複数の補完的ストリームを一次データ・ストリーム（視聴覚情報）に関連付けることができる。入れ子型ストリーム符号化については、図２２に関してより詳細に説明する。
【０１２０】
送信ダイバーシティのさらなる拡張が、本明細書でスタッガ・キャスティングと呼ぶものである。この場合、エラー訂正符号化情報の複数の補完的ストリームを送信することができるが、個々のストリームが単独で受信された場合、これらのストリームは、入れ子型ストリーム符号化とは異なり、復号を可能にするのに十分な情報を保持することができる。換言すれば、個々のストリームは、系統的符号化を使用することができる。この場合、個々のストリームが単独で受信された場合、これらのストリームを復号することができ、（入れ子型ストリーム符号化に類似した補完的エラー訂正符号化情報などを含む）複数のこのようなストリームを受信することで高符号化率が効果的に生じ、低受信閾値が可能になる。
【０１２１】
図２０−時間ダイバーシティ
図２０は、時間ダイバース及び非時間ダイバース・コンテンツの両方を含むデータ・ストリームを示している。コンテンツＡは、一次コンテンツ・ブロックＡ１、及びＡ１コンテンツ・ブロックの反復（冗長）版であるバックアップ・コンテンツ・ブロックＡ２を含む。従って、バーストによりＡ１コンテンツブロック２が破壊された場合、バックアップのＡ２コンテンツ・ブロック２を使用することができる。図示の例では、コンテンツＢはバックアップコンテンツを有しておらず、時間ダイバースではない。図２０は、同一のコンテンツ・ブロックを反復するために使用できる時間ダイバーシティを示しているが、この時間ダイバーシティの概念を部分的に又は完全に補完的なデータブロックに同様に適用することができ、本明細書で説明するような（時間ダイバースコンテンツをリンクする制御情報などの）クロス・ストリーム・アソシエーションを使用してこれらのデータブロックを互いに関連付けることができる。時間ダイバーシティは、周波数ダイバーシティとともに又はこれを伴わずに望む通りに使用することができる。
【０１２２】
図２１−周波数ダイバーシティ
図２０は、異なる周波数で送信される複数のデータ・ストリームを示しており、すなわち局Ａは第１の周波数で送信を行い、局Ｂは第２の周波数で送信を行う。図示のように、コンテンツＡ及びコンテンツＢは周波数ダイバースであり、すなわち局Ａ及び局Ｂの両方においてコンテンツＡ及びコンテンツＢの両方が送信される。局Ａにおいてのみ送信されるコンテンツＣ、及び局Ｂにおいてのみ送信されるコンテンツＤは、周波数ダイバースではない。図２０は、同一のコンテンツ・ブロックを反復するために使用できる周波数ダイバーシティを示しているが、この周波数ダイバーシティの概念を部分的に又は完全に補完的なデータブロックに同様に適用することができ、本明細書で説明するような（時間ダイバース・コンテンツをリンクする制御情報などの）クロス・ストリーム・アソシエーションを使用してこれらのデータ・ブロックを互いに関連付けることができる。周波数ダイバーシティは、時間ダイバーシティとともに又はこれを伴わずに望む通りに使用することができる。
【０１２３】
図２２−入れ子型ストリーム符号化
図２２は、入れ子型ストリーム符号化の１つの考えられる実施形態を示している。図示の例では、ストリーム２２００を、２／３の比率で符号化されるメインストリームとすることができる。ストリーム２２０２、２２０４、及び２２０６は非系統的増強ストリームとすることができ、換言すれば、これらのストリームの各々は、エラー訂正符号化ビットしか含むことができない。個々のストリームは、別の時間に及び／又は別の周波数で送信することができる。図から分かるように、個々の増強ストリーム２２０２、２２０４、及び２２０６は、個々のその他の増強ストリーム及びメインストリーム２２００を補完する。従って、４つのストリームが全て受信され互いに関連付けられた場合、これらは、ストリーム２００８を１／４の高符号化率で効果的に作成することができる。或いは、メインストリーム２２００及びストリーム２２０６のみが受信された場合でも、これがやはりメインストリームの符号化率を２／３から１／２に効果的に高める。従って、コンテンツデータを繰り返す追加のオーバーヘッドを招くことなく、時間及び／又は周波数ダイバーシティの強みを実現することができる。
【０１２４】
図２３−同等のＭ／Ｈ  Ｒ＝１／２の正規化形式
スタガー・キャスティングは、入れ子型ストリーム符号化概念のさらなる拡張であり、これにより、いずれかのストリームを単独で受信することに基づいて、層状符号化に信頼できるデータ回復の可能性を加えることができるような方法で補完的ストリームが符号化される。上述したように、一時的な信号ドロップアウトに対抗するために、ストリームの時間及び／又は周波数をずらすことができる。補完的ストリームを最小の重複で符号化して帯域幅を節約することができるが、個々のストリームは、単独のデータ回復を可能にするのに十分な情報を（データ（ＡＶ情報）及びコードビット（エラー訂正符号化情報）に関して）依然として保持している。両方のストリームが受信され互いに関連付けられると、低受信閾値での受信を可能にするための情報がともに構築される。Ｍ／Ｈシステムでこれを行うためには、（例えば、図６に示すように）畳み込み符号器にわずかな修正を加えることが必要になる場合がある。
【０１２５】
現在のところ、Ｍ／Ｈシステムは、１／４比率の符号化に対して（Ｃ０、Ｃ２）、（Ｃ１、Ｃ４）及び（Ｃ０、Ｃ１）、（Ｃ３、Ｃ４）モードを提供する。１／２比率符号化に対しては、Ｍ／Ｈシステムは（Ｃ０、Ｃ１）を提供する。１／４比率符号（Ｃ０、Ｃ２）、（Ｃ１、Ｃ４）を２つの別個のストリームに分割することが可能である。これらの２つのストリームは、（Ｃ０、Ｃ２）及び（Ｃ１、Ｃ４）となる。エラー！参照元が見つからない。図２３は、符号器をより良く理解するために、同等の正規化形式がどのような形をしているかを示している。
【０１２６】
（Ｃ０、Ｃ２）は（Ｃ０、Ｃ１）符号の遅延パリティ版にすぎないことが分かる。このモードを復号するには、トレリス復号器の状態機械を単純に調整するだけでよい。
【０１２７】
（Ｃ１、Ｃ４）符号には２つの問題点がある。第１に、これが非系統的符号であるということである。しかしながら、Ｍ／Ｈ畳み込み符号器には、あらゆるＳＣＣＣブロックシステムの開始時にメモリが０にリセットされ、トレリスを既知の状態にするという利点がある。Ｃ４符号は、フィードフォワード方法によるものである。項を取り消したことにより、Ｃ４は、Ｃ０にこれ自体の遅延版を加えたものとなる。開始状態が分かっているのでＣ４をＣ０に変換することができ、このことは、（Ｃ１、Ｃ４）符号のための系統的復号器を構成できることを意味する。
【０１２８】
（Ｃ１、Ｃ４）符号に関する第２の問題点は、同等の符号ビットＣ４が出力記号のＺ１ビットに入れられ、Ｃ１ビットがより強力なＺ２ビットに入れられるという点である。Ｃ４ビット単独ではＺ２ビット内にＣ４ビットを有するよりも弱いので、これによりＣ４ビットのみを使用して信号を復号するという問題が生じる。しかしながら、このモードでは復号がＲ＝１／２に対して行われると仮定した場合には問題なく、この場合、復号器がパリティコードによってより強力に付勢されるにすぎない。
【０１２９】
図２４−ＳＣＣＣブロックモード拡張
図２３に関して説明した追加のＲ＝１／２モードを可能にするために、これらの拡張された比率モードをシグナリングしなければならない。シグナリングのある部分は、ＴＰＣシグナリングの修正を含むことができる。例えば、図１８に示すフィールド「ＳＣＣＣ＿Ｂｌｏｃｋ＿Ｍｏｄｅ」の値「１１」を使用して、２ビットの「ＳＣＣＣ＿Ｂｌｏｃｋ＿Ｍｏｄｅ＿Ｅｘｔｅｎｓiｏｎ」フィールドにマーキングすることができる。この新しい
フィールドを、図２４に示すように定義することができる。例えば、図示のように、新しいフィールドには、図２３に関して説明したようにＲ＝１／４（Ｃ０、Ｃ２）、（Ｃ１、Ｃ４）モードから導かれるＲ＝１／２畳み込み符号化モードのための規定が存在することができる。
【０１３０】
図２５−畳み込み符号器出力記号（ビットペア）
図２４に関して説明したＴＰＣシグナリングの修正を効果的にするために、畳み込み符号器は、このシグナリングに従う方法で出力を定義しなければならない。図２５は、図２３に関して説明した追加のＲ＝１／２モードを導き出すように修正された図６の畳み込み符号器が、いかにして図２４で定義したシグナリングに従う方法で出力を定義するかについての１つの例を示している。
【０１３１】
図２６−スタガー・キャスティング
図２３に関して説明したように、Ｒ＝１／４符号（Ｃ０、Ｃ２）、（Ｃ１、Ｃ４）を２つの別個のストリームに分割することができる。Ｒ＝１／２符号（Ｃ０、Ｃ１）とともに、これらは３つのＲ＝１／２符号化パターン、すなわち部分的に補完するパターン、部分的に重複するパターン、系統的な（又は（Ｃ１、Ｃ４）の場合に事実上系統的な）パターンを作り上げる。これらの符号化パターンを図２６に示す。個々の符号化パターンは系統的（又は事実上系統的）であるので、他の符号化パターンがドロップした場合、又は別様に正確に受信されなかった場合でも、移動体装置により３つの符号化パターンのいずれかから符号化された視聴覚情報を取り出すことができる。例えば、個々のパターンを別個のストリームで（例えば、他の符号化パターンと時間及び／又は周波数で分離されて）送信した場合、たとえバースト・ノイズ、ディープ・フェード、及び／又はいずれかの他の理由により符号化パターンの１又はそれ以上が破壊されたとしても、少なくとも１つの符号化パターンを受信することができる。受信された符号化パターンの信号対ノイズ比が十分なものである場合、単一の受信された系統的符号化パターンでも、移動体装置が符号化された視聴覚データを取り出して提示するのには十分である。一方で、移動体装置により２以上のスタガーキャスティッド符号化パターンが受信された場合、個々の符号化パターンの符号化が、他の符号化パターンの補完的符号化を基礎として（高性能エラー訂正符号化率などの）よりロバストなストリームを効果的に形成することができ、移動体装置により受信された符号化パターンがより少ない場合に考えられるよりも低い信号対ノイズ比の視聴覚情報を取り出して提示できるようにする可能性がある。
【０１３２】
上記の実施形態についてかなり詳細に説明したが、当業者には、上記の開示を十分に理解した時点で数多くの変形及び修正が明らかになるであろう。以下の特許請求の範囲は、全てのこのような変形及び修正を含むと解釈すべきであることが意図される。
【符号の説明】
【０１３３】
１００  システム；  １０２  送信システム；  １０４送信論理回路；  
１０６  送信機；  １１２  移動体装置；  １１４  固定装置。
【図１】
0005695111.tif 000005
【図２】
0005695111.tif 000006
【図３】
0005695111.tif 000007
【図４】
0005695111.tif 000008
【図５】
0005695111.tif 000009
【図６】
0005695111.tif 000010
【図７】
0005695111.tif 000011
【図８】
0005695111.tif 000012
【図９】
0005695111.tif 000013
【図１０】
0005695111.tif 000014
【図１１】
0005695111.tif 000015
【図１２】
0005695111.tif 000016
【図１３】
0005695111.tif 000017
【図１４】
0005695111.tif 000018
【図１５】
0005695111.tif 000019
【図１６Ａ】
0005695111.tif 000020
【図１６Ｂ】
0005695111.tif 000021
【図１７Ａ】
0005695111.tif 000022
【図１７Ｂ】
0005695111.tif 000023
【図１８】
0005695111.tif 000024
【図１９】
0005695111.tif 000025
【図２０】
0005695111.tif 000026
【図２１】
0005695111.tif 000027
【図２２】
0005695111.tif 000028
【図２３】
0005695111.tif 000029
【図２４】
0005695111.tif 000030
【図２５】
0005695111.tif 000031
【図２６】
0005695111.tif 000032